(57)【要約】  本出願の実施形態は、無線インターフェースリソースの浪費を削減するのを助けるために、UEのためにポリシーを構成するための方法、装置、及びシステムを開示し、通信技術の分野に関する。本方法は、PCFネットワーク要素によって、第1のネットワーク要素によって送信されたUEのポリシー情報を受信するステップであって、UEのポリシー情報が、UEのポリシーを示すために使用される、ステップと、PCFネットワーク要素によって、UEのポリシー情報に基づいて構成情報をUEに送信するステップであって、構成情報が、UEのポリシーを更新するようにUEに命令するために使用される、ステップとを含み得る。
2021510997.tif 000002
【特許請求の範囲】
【請求項１】
ユーザ機器UEのためにポリシーを構成するための方法であって、前記方法が、
ポリシー制御機能ネットワーク要素によって、第1のネットワーク要素によって送信された前記UEのポリシー情報を受信するステップであって、前記ポリシー情報が、前記UEのために現在構成されているポリシーを示すために使用される、ステップと、
前記ポリシー制御機能ネットワーク要素によって、前記UEの前記ポリシー情報に少なくとも基づいて構成情報を前記UEに送信するステップであって、前記構成情報が、前記UEの前記ポリシーを更新するように前記UEに命令するために使用される、ステップと
を含む、方法。
【請求項２】
前記ポリシー制御機能ネットワーク要素によって、前記UEの前記ポリシー情報に少なくとも基づいて構成情報を前記UEに送信する前記ステップが、
前記構成情報が第1の構成情報を含む場合、前記ポリシー制御機能ネットワーク要素によって、前記第1の構成情報を前記UEに送信するステップであって、前記第1の構成情報が、前記UEの第1のポリシーを示すために使用され、前記ポリシー情報に示される前記ポリシーが、前記第1のポリシーを含まない、ステップと、
前記構成情報が第2の構成情報を含む場合、前記ポリシー制御機能ネットワーク要素によって、前記第2の構成情報を前記UEに送信するステップであって、前記第2の構成情報が、第2のポリシーを削除するように前記UEに命令するために使用され、前記ポリシー情報に示される前記ポリシーが、前記第2のポリシーを含む、ステップと、
前記構成情報が第3の構成情報を含む場合、前記ポリシー制御機能ネットワーク要素によって、前記第3の構成情報を前記UEに送信するステップであって、前記第3の構成情報が、第3のポリシーを更新するように前記UEに命令するために使用され、前記ポリシー情報に示される前記ポリシーが、前記第3のポリシーを含む、ステップと
のうちの少なくとも1つを含む、請求項1に記載の方法。
【請求項３】
前記方法が、
前記ポリシー制御機能ネットワーク要素によって、更新命令情報を前記第1のネットワーク要素に送信するステップであって、前記更新命令情報が、前記構成情報及び構成情報識別子のうちの少なくとも1つを含み、前記構成情報識別子が前記構成情報を示すために使用される、ステップ
をさらに含む、請求項2に記載の方法。
【請求項４】
前記方法が、
前記ポリシー制御機能ネットワーク要素によって、前記UEによって送信されたポリシー格納ステータス情報を受信するステップであって、前記ポリシー格納ステータス情報は、前記UEがポリシー制御機能ポリシーを格納しているか否かを示すために使用される、ステップと、
前記UEが前記ポリシー制御機能ポリシーを格納していないことを前記ポリシーステータス情報が示す場合、前記ポリシー制御機能ネットワーク要素によって、前記ポリシー制御機能ポリシーを前記UEに送信するステップと
をさらに含む、請求項1から3のいずれか一項に記載の方法。
【請求項５】
前記ポリシー制御機能ネットワーク要素によって、前記UEによって送信されたポリシー格納ステータス情報を受信する前記ステップが、
前記ポリシー制御機能ネットワーク要素によって、アクセス及びモビリティ管理機能ネットワーク要素によって送信されたポリシー制御取得要求メッセージを受信するステップであって、前記ポリシー制御取得要求メッセージが前記ポリシー格納ステータス情報を運び、前記モビリティ管理機能ネットワーク要素が、前記UEによって送信された登録要求メッセージを受信した後、前記ポリシー制御取得要求メッセージを前記ポリシー制御機能ネットワーク要素に送信する、ステップ
を含む、請求項4に記載の方法。
【請求項６】
ユーザ機器UEのためにポリシーを構成するための方法であって、前記方法が、
第1のネットワーク要素によって、前記UEのポリシー情報に少なくとも基づいて構成情報を前記UEに送信するようにポリシー制御機能ネットワーク要素に命令するために、前記ポリシー情報を前記ポリシー制御機能ネットワーク要素に送信するステップであって、前記ポリシー情報が、前記UEのために現在構成されているポリシーを示すために使用され、前記構成情報が、前記UEの前記ポリシーを更新するように前記UEに命令するために使用される、ステップ
を含む、方法。
【請求項７】
前記方法が、
前記第1のネットワーク要素によって、前記ポリシー制御機能ネットワーク要素によって送信された更新命令情報を受信するステップであって、前記更新命令情報が、前記構成情報及び構成情報識別子のうちの少なくとも1つを含み、前記構成情報識別子が前記構成情報を示すために使用される、ステップと、
前記第1のネットワーク要素によって、前記更新命令情報に基づいて前記UEの前記ポリシー情報を更新するステップと
をさらに含む、請求項6に記載の方法。
【請求項８】
前記第1のネットワーク要素が第1のモビリティ管理機能ネットワーク要素であり、前記方法が、
前記第1のモビリティ管理機能ネットワーク要素によって、第2のモビリティ管理機能ネットワーク要素によって送信された前記ポリシー情報を受信するステップであって、前記第2のモビリティ管理機能ネットワーク要素は、前記UEが前記第1のモビリティ管理機能ネットワーク要素に接続する前に前記UEが接続するモビリティ管理機能ネットワーク要素である、ステップ
をさらに含む、請求項6又は7に記載の方法。
【請求項９】
前記第1のモビリティ管理機能ネットワーク要素によって、第2のモビリティ管理機能ネットワーク要素によって送信された前記ポリシー情報を受信する前記ステップが、
前記第1のモビリティ管理機能ネットワーク要素によって、前記第2のモビリティ管理機能ネットワーク要素によって送信された第1のメッセージを受信するステップであって、前記第1のメッセージが、前記UEのコンテキスト情報及び前記ポリシー情報を含む、ステップ
を含む、請求項8に記載の方法。
【請求項１０】
ユーザ機器UEのためにポリシーを構成するための方法であって、前記方法が、
前記UEによって、前記UEがポリシー制御機能ポリシーを格納していないことをポリシー格納ステータス情報が示すときに、前記ポリシー制御機能ポリシーを前記UEに送信するようにポリシー制御機能ネットワーク要素に命令するために、前記ポリシー格納ステータス情報を前記ポリシー制御機能ネットワーク要素に送信するステップであって、前記ポリシー格納ステータス情報は、前記UEが前記ポリシー制御機能ポリシーを格納しているか否かを示すために使用される、ステップと、
前記UEによって、前記ポリシー制御機能ネットワーク要素によって送信された前記ポリシー制御機能ポリシーを受信するステップと
を含む、方法。
【請求項１１】
前記UEによって、ポリシー格納ステータス情報をポリシー制御機能ネットワーク要素に送信する前記ステップが、
前記UEによって、登録要求メッセージをアクセス及びモビリティ管理機能ネットワーク要素に送信するステップであって、前記登録要求メッセージが前記ポリシー格納ステータス情報を運び、前記登録要求メッセージが、ポリシー制御取得要求メッセージを前記ポリシー制御機能ネットワーク要素に送信するように前記モビリティ管理機能ネットワーク要素に命令するために使用され、前記ポリシー制御取得要求メッセージが前記ポリシー格納ステータス情報を運ぶ、ステップ、又は
前記UEによって、前記ポリシー制御機能ネットワーク要素によって送信された構成情報を受信した後、前記ポリシー格納ステータス情報を前記ポリシー制御機能ネットワーク要素に送信するステップであって、前記構成情報が、前記UEのポリシー情報に少なくとも基づいて前記ポリシー制御機能ネットワーク要素によって前記UEに送信された構成情報であり、前記ポリシー情報が前記UEのために現在構成されているポリシーを示すために使用され、前記構成情報が、前記UEの前記ポリシーを更新するために使用される、ステップ
を含む、請求項10に記載の方法。
【請求項１２】
ユーザ機器UEのためにポリシーを構成するためのシステムであって、前記システムが第1のネットワーク要素とポリシー制御機能ネットワーク要素とを含み、
前記第1のネットワーク要素が、前記UEのポリシー情報を前記ポリシー制御機能ネットワーク要素に送信し、前記ポリシー情報が、前記UEのために現在構成されているポリシーを示すために使用される、ように構成され、
前記ポリシー制御機能ネットワーク要素が、前記ポリシー情報を受信し、前記ポリシー情報に少なくとも基づいて構成情報を前記UEに送信し、前記構成情報が、前記UEの前記ポリシーを更新するように前記UEに命令するために使用される、ように構成される、システム。
【請求項１３】
前記ポリシー制御機能ネットワーク要素が、前記ポリシー情報に少なくとも基づいて構成情報を前記UEに送信するように構成されることが、
前記構成情報が第1の構成情報を含む場合、前記ポリシー制御機能ネットワーク要素によって、前記第1の構成情報を前記UEに送信するステップであって、前記第1の構成情報が、前記UEの第1のポリシーを示すために使用され、前記ポリシー情報に示される前記ポリシーが、前記第1のポリシーを含まない、ステップと、
前記構成情報が第2の構成情報を含む場合、前記ポリシー制御機能ネットワーク要素によって、前記第2の構成情報を前記UEに送信するステップであって、前記第2の構成情報が、第2のポリシーを削除するように前記UEに命令するために使用され、前記ポリシー情報に示される前記ポリシーが、前記第2のポリシーを含む、ステップと、
前記構成情報が第3の構成情報を含む場合、前記ポリシー制御機能ネットワーク要素によって、前記第3の構成情報を前記UEに送信するステップであって、前記第3の構成情報が、第3のポリシーを更新するように前記UEに命令するために使用され、前記ポリシー情報に示される前記ポリシーが、前記第3のポリシーを含む、ステップと
のうちの少なくとも1つを特に含む、請求項12に記載のシステム。
【請求項１４】
前記ポリシー制御機能ネットワーク要素が、更新命令情報を前記第1のネットワーク要素に送信し、前記更新命令情報が、前記構成情報及び構成情報識別子のうちの少なくとも1つを含み、前記構成情報識別子が前記構成情報を示すために使用される、ようにさらに構成され、
前記第1のネットワーク要素が、前記更新命令情報を受信し、前記更新命令情報に基づいて前記UEの前記ポリシー情報を更新する、ようにさらに構成される、請求項13に記載のシステム。
【請求項１５】
前記システムが前記ユーザ機器UEをさらに含み、前記UEが前記構成情報を受信し、前記構成情報に基づいて前記UEの前記ポリシーを更新する、ように構成される、請求項12から14のいずれか一項に記載のシステム。
【請求項１６】
前記UEが、ポリシー格納ステータス情報を前記ポリシー制御機能ネットワーク要素に送信し、前記ポリシー格納ステータス情報は、前記UEがポリシー制御機能ポリシーを格納しているか否かを示すために使用される、ようにさらに構成され、
前記ポリシー制御機能ネットワーク要素は、前記ポリシー格納ステータス情報を受信し、前記UEが前記ポリシー制御機能ポリシーを格納していないことを前記ポリシーステータス情報が示す場合、前記ポリシー制御機能ポリシーを前記UEに送信する、ようにさらに構成され、
前記UEが、前記ポリシー制御機能ポリシーを受信するようにさらに構成される、請求項12から15のいずれか一項に記載のシステム。
【請求項１７】
前記UEが、ポリシー格納ステータス情報を前記ポリシー制御機能ネットワーク要素に送信するようにさらに構成されることは、
前記UEが、登録要求メッセージをアクセス及びモビリティ管理機能ネットワーク要素に送信し、前記登録要求メッセージが前記ポリシー格納ステータス情報を運ぶ、ようにさらに構成され、前記モビリティ管理機能ネットワーク要素が、前記登録要求メッセージを受信し、ポリシー制御取得要求メッセージを前記ポリシー制御機能ネットワーク要素に送信する、ように構成され、前記ポリシー制御取得要求メッセージが、前記ポリシー格納ステータス情報を運ぶ、又は
前記UEが、前記ポリシー制御機能ネットワーク要素によって送信された前記構成情報を受信した後、前記ポリシー格納ステータス情報を前記ポリシー制御機能ネットワーク要素に送信するようにさらに構成される
ことを特に含む、請求項16に記載のシステム。
【請求項１８】
前記第1のネットワーク要素が第1のモビリティ管理機能ネットワーク要素であり、前記システムが第2のモビリティ管理機能ネットワーク要素をさらに含み、前記第2のモビリティ管理機能ネットワーク要素は、前記UEが前記第1のモビリティ管理機能ネットワーク要素に接続する前に前記UEが接続するモビリティ管理機能ネットワーク要素であり、
前記第2のモビリティ管理機能ネットワーク要素が、前記ポリシー情報を前記第1のモビリティ管理機能ネットワーク要素に送信するように構成され、
前記第1のモビリティ管理機能ネットワーク要素が、前記ポリシー情報を受信するようにさらに構成される、請求項12から16のいずれか一項に記載のシステム。
【請求項１９】
前記第2のモビリティ管理機能ネットワーク要素が、前記ポリシー情報を前記第1のモビリティ管理機能ネットワーク要素に送信するように構成されることが、
前記第2のモビリティ管理機能ネットワーク要素が、第1のメッセージを前記第1のモビリティ管理機能ネットワーク要素に送信し、前記第1のメッセージが、前記UEのコンテキスト情報及び前記ポリシー情報を含む、ように構成される
ことを特に含む、請求項18に記載のシステム。
【請求項２０】
ポリシー制御機能ネットワーク要素であって、前記ポリシー制御機能ネットワーク要素が、
第1のネットワーク要素によって送信されたUEのポリシー情報を受信し、前記ポリシー情報が、前記UEのために現在構成されているポリシーを示すために使用される、ように構成された受信ユニットと、
前記UEの前記ポリシー情報に少なくとも基づいて構成情報を前記UEに送信し、前記構成情報が、前記UEの前記ポリシーを更新するように前記UEに命令するために使用される、ように構成された送信ユニットと
を備える、ポリシー制御機能ネットワーク要素。
【請求項２１】
前記送信ユニットが、
前記構成情報が第1の構成情報を含む場合、前記第1の構成情報を前記UEに送信するステップであって、前記第1の構成情報が、前記UEの第1のポリシーを示すために使用され、前記ポリシー情報に示される前記ポリシーが、前記第1のポリシーを含まない、ステップと、
前記構成情報が第2の構成情報を含む場合、前記第2の構成情報を前記UEに送信するステップであって、前記第2の構成情報が、第2のポリシーを削除するように前記UEに命令するために使用され、前記ポリシー情報に示される前記ポリシーが、前記第2のポリシーを含む、ステップと、
前記構成情報が第3の構成情報を含む場合、前記第3の構成情報を前記UEに送信するステップであって、前記第3の構成情報が、第3のポリシーを更新するように前記UEに命令するために使用され、前記ポリシー情報に示される前記ポリシーが、前記第3のポリシーを含む、ステップと
のうちの少なくとも1つを実行するように特に構成される、請求項20に記載のポリシー制御機能ネットワーク要素。
【請求項２２】
前記送信ユニットが、更新命令情報を前記第1のネットワーク要素に送信し、前記更新命令情報が、前記構成情報及び構成情報識別子のうちの少なくとも1つを含み、前記構成情報識別子が前記構成情報を示すために使用される、ようにさらに構成される、請求項21に記載のポリシー制御機能ネットワーク要素。
【請求項２３】
前記受信ユニットが、前記UEによって送信されたポリシー格納ステータス情報を受信し、前記ポリシー格納ステータス情報が、前記UEがポリシー制御機能ポリシーを格納しているか否かを示すために使用される、ようにさらに構成され、
前記送信ユニットが、前記UEが前記ポリシー制御機能ポリシーを格納していないことを前記ポリシーステータス情報が示す場合、前記ポリシー制御機能ポリシーを前記UEに送信する、ようにさらに構成される、請求項20から22のいずれか一項に記載のポリシー制御機能ネットワーク要素。
【請求項２４】
前記受信ユニットが、アクセス及びモビリティ管理機能ネットワーク要素によって送信されたポリシー制御取得要求メッセージを受信し、前記ポリシー制御取得要求メッセージが前記ポリシー格納ステータス情報を運び、前記モビリティ管理機能ネットワーク要素が、前記UEによって送信された登録要求メッセージを受信した後、前記ポリシー制御取得要求メッセージを前記ポリシー制御機能ネットワーク要素に送信する、ように特に構成される、請求項23に記載のポリシー制御機能ネットワーク要素。
【請求項２５】
第1のネットワーク要素であって、前記第1のネットワーク要素が、
UEのポリシー情報に少なくとも基づいて構成情報を前記UEに送信するようにポリシー制御機能ネットワーク要素に命令するために、前記ポリシー情報を前記ポリシー制御機能ネットワーク要素に送信し、前記ポリシー情報が、前記UEのために現在構成されているポリシーを示すために使用され、前記構成情報が、前記UEの前記ポリシーを更新するように前記UEに命令するために使用される、ように構成された送信ユニット
を備える、第1のネットワーク要素。
【請求項２６】
前記第1のネットワーク要素が、
前記ポリシー制御機能ネットワーク要素によって送信された更新命令情報を受信し、前記更新命令情報が、前記構成情報及び構成情報識別子のうちの少なくとも1つを含み、前記構成情報識別子が前記構成情報を示すために使用される、ように構成された受信ユニットと、
前記更新命令情報に基づいて前記UEの前記ポリシー情報を更新するように構成された処理ユニットと
をさらに備える、請求項25に記載の第1のネットワーク要素。
【請求項２７】
前記第1のネットワーク要素が、第1のモビリティ管理機能ネットワーク要素であり、
前記受信ユニットが、第2のモビリティ管理機能ネットワーク要素によって送信された前記ポリシー情報を受信し、前記第2のモビリティ管理機能ネットワーク要素は、前記UEが前記第1のモビリティ管理機能ネットワーク要素に接続する前に前記UEが接続するモビリティ管理機能ネットワーク要素である、ようにさらに構成される、請求項26に記載の第1のネットワーク要素。
【請求項２８】
前記受信ユニットが、前記第2のモビリティ管理機能ネットワーク要素によって送信された第1のメッセージを受信し、前記第1のメッセージが、前記UEのコンテキスト情報及び前記ポリシー情報を含む、ように特に構成される、請求項27に記載の第1のネットワーク要素。
【請求項２９】
端末装置であって、前記端末装置が、
前記端末装置がポリシー制御機能ポリシーを格納していないことをポリシー格納ステータス情報が示すときに、前記ポリシー制御機能ポリシーを前記端末装置に送信するようにポリシー制御機能ネットワーク要素に命令するために、前記ポリシー格納ステータス情報を前記ポリシー制御機能ネットワーク要素に送信し、前記ポリシー格納ステータス情報は、前記端末装置が前記ポリシー制御機能ポリシーを格納しているか否かを示すために使用される、ように構成される送信ユニットと、
前記ポリシー制御機能ネットワーク要素によって送信された前記ポリシー制御機能ポリシーを受信するように構成された受信ユニットと
を備える、端末装置。
【請求項３０】
前記送信ユニットが、
登録要求メッセージをアクセス及びモビリティ管理機能ネットワーク要素に送信し、前記登録要求メッセージが前記ポリシー格納ステータス情報を運び、前記登録要求メッセージが、ポリシー制御取得要求メッセージを前記ポリシー制御機能ネットワーク要素に送信するように前記モビリティ管理機能ネットワーク要素に命令するために使用され、前記ポリシー制御取得要求メッセージが前記ポリシー格納ステータス情報を運ぶ、又は
前記ポリシー制御機能ネットワーク要素によって送信された構成情報を前記受信ユニットが受信した後、前記ポリシー格納ステータス情報を前記ポリシー制御機能ネットワーク要素に送信し、前記構成情報が、前記端末装置のポリシー情報に基づいて前記ポリシー制御機能ネットワーク要素によって前記端末装置に送信された構成情報であり、前記ポリシー情報が前記端末装置のために現在構成されているポリシーを示すために使用され、前記構成情報が、前記端末装置の前記ポリシーを更新するように前記端末装置に命令するために使用される
ように特に構成される、請求項29に記載の端末装置。
【請求項３１】
前記第1のネットワーク要素が、統合されたデータリポジトリネットワーク要素又はモビリティ管理機能ネットワーク要素である、請求項1から11のいずれか一項に記載の方法、又は請求項12から19のいずれか一項に記載のシステム、又は請求項20から24のいずれか一項に記載のポリシー制御機能ネットワーク要素、又は請求項25から28のいずれか一項に記載の第1のネットワーク要素、又は請求項29若しくは30に記載の端末装置。
【請求項３２】
前記ポリシーが、ユーザ機器ルート選択ポリシーURSP、アクセスネットワーク発見選択ポリシーANDSP、及びワイヤレスローカルエリアネットワーク選択ポリシーWLANSPのうちの少なくとも1つを含む、請求項1から11若しくは31のいずれか一項に記載の方法、又は請求項12から19若しくは31のいずれか一項に記載のシステム、又は請求項20から24若しくは31のいずれか一項に記載のポリシー制御機能ネットワーク要素、又は請求項25から28若しくは31のいずれか一項に記載の第1のネットワーク要素、又は請求項30若しくは31に記載の端末装置。
【請求項３３】
ユーザ機器UEのためにポリシーを構成するための装置であって、前記装置が、請求項1から11のいずれか一項に記載の方法を実行するように構成される、装置。
【請求項３４】
コンピュータ可読記憶媒体であって、前記コンピュータ可読記憶媒体がコンピュータ命令を含み、前記コンピュータ命令がコンピュータ上で実行されると、請求項1から11のいずれか一項に記載の方法が実行される、コンピュータ可読記憶媒体。
【請求項３５】
コンピュータプログラム製品であって、前記コンピュータプログラム製品が命令を格納し、前記命令がコンピュータ上で実行されると、前記コンピュータは、請求項1から11のいずれか一項に記載の方法を実行することができる、コンピュータプログラム製品。
【請求項３６】
メモリとプロセッサとを備え、前記メモリが命令を格納するように構成され、前記プロセッサが前記命令を実行するように構成され、それにより請求項1から5のいずれか一項に記載の方法が実行される、ポリシー制御機能ネットワーク要素。
【請求項３７】
メモリとプロセッサとを備え、前記メモリが命令を格納するように構成され、前記プロセッサが前記命令を実行するように構成され、それにより請求項6から9のいずれか一項に記載の方法が実行される、第1のネットワーク要素。
【請求項３８】
メモリとプロセッサとを備え、前記メモリが命令を格納するように構成され、前記プロセッサが前記命令を実行するように構成され、それにより請求項10又は11に記載の方法が実行される、端末装置。
【請求項３９】
請求項1から5のいずれか一項に記載の方法を実行するように構成された装置。
【請求項４０】
請求項6から9のいずれか一項に記載の方法を実行するように構成された装置。
【請求項４１】
請求項10又は11に記載の方法を実行するように構成された装置。
【発明の詳細な説明】
【技術分野】
【０００１】
本出願は、2018年1月15日に中国専利局に出願された「METHOD，APPARATUS，AND SYSTEM FOR CONFIGURING POLICY FOR UE」と題する中国特許出願第201810037562．1号の優先権を主張するものであり、参照により、この出願の内容全体が本願明細書に援用される。
【０００２】
本出願は、通信技術の分野に関し、詳細には、ユーザ機器（user equipment、UE）のためにポリシーを構成するための方法、装置、及びシステムに関する。
【背景技術】
【０００３】
ワイヤレスブロードバンド技術によってもたらされる課題に対処し、第3世代パートナーシッププロジェクト（3rd generation partnership project、3GPP）ネットワークの主導的地位を維持するために、3GPP標準組織は、第5世代（5th generation、5G）ネットワークアーキテクチャと呼ばれる次世代モバイルテレコミュニケーションシステム（next generation system）ネットワークアーキテクチャを2016年の終わりに策定した。
【０００４】
5Gネットワークでは、ポリシー制御機能（policy control function、PCF）ネットワーク要素が、UEの様々なサービス要件を満たすために、UEのために様々なポリシー制御サービスを提供するために通常使用される。具体的には、PCFネットワーク要素は、非アクセス層（non−access stratum、NAS）メッセージを使用することによりポリシーをUEに送信できる。このポリシーは、アクセスネットワーク発見選択ポリシー（access network discovery＆selection policy、ANDSP）及びユーザ機器ルート選択ポリシー（UE route selection policy、URSP）を含み、これらはアクセスモード及びパケットデータユニット（packet data unit、PDU）セッションを選択するためにそれぞれ使用される。
【０００５】
UEのポリシーのサイズ（size）は極めて大きくなり得るが、NASメッセージの長さは限られている。したがって、PCFネットワーク要素は、ポリシーをUEに何度も送信する必要があり得る。PCFネットワーク要素は、PCFネットワーク要素によってUEに配信されたポリシーを維持することができる。しかしながら、UEが1つの公衆陸上移動体ネットワーク（public land mobile network、PLMN）内を移動するプロセスでは、PCFネットワーク要素が変更され得る。既存の標準によれば、1つのPLMN内の異なるPCFネットワーク要素間にインターフェースはない。したがって、新しいPCFネットワーク要素は、UEによって取得されたポリシーを把握せず、通常、すべてのポリシーをUEに送信する必要がある。これにより、無線インターフェースリソースの浪費が引き起こされる。
【発明の概要】
【０００６】
本出願の実施形態は、無線インターフェースリソースの節約を助けるために、UEのためにポリシーを構成するための方法、装置、及びシステムを提供する。
【課題を解決するための手段】
【０００７】
第1の態様によれば、本出願の一実施形態は、UEのためにポリシーを構成するための方法を提供する。本方法は、PCFネットワーク要素によって、第1のネットワーク要素によって送信されたUEのポリシー情報を受信するステップであって、UEのポリシー情報が、UEのポリシーを示すために使用される、ステップと、PCFネットワーク要素によって、UEのポリシー情報に少なくとも基づいて構成情報をUEに送信するステップであって、構成情報が、UEのポリシーを更新するようにUEに命令するために使用される、ステップとを含み得る。場合により、第1のネットワーク要素が、UDRネットワーク要素又はAMFネットワーク要素であり得る。場合により、UEのポリシー情報が、UEの現在のポリシー、すなわち、UEのためにネットワーク側によって現在構成されているポリシーを示すために使用される。ポリシーは、例えば、URSP、ANDSP、及びWLANSPのうちの少なくとも1つを含み得るがそれに限定されない。当然のことながら、本出願はそれに限定されない。本技術的解決策では、UEのポリシー情報に少なくとも基づいて構成情報をUEに送信するために、PCFネットワーク要素が第1のネットワーク要素からUEのポリシー情報を取得し得、それにより、PCFネットワーク要素がUEのポリシー情報に示されたポリシーをUEに送信しなくなり得、それにより無線インターフェースリソースの節約を助ける。
【０００８】
可能な設計では、PCFネットワーク要素によって、UEのポリシー情報に少なくとも基づいて構成情報をUEに送信するステップが、構成情報が第1の構成情報を含む場合、PCFネットワーク要素によって、第1の構成情報をUEに送信するステップであって、第1の構成情報が、UEの第1のポリシーを示すために使用され、UEのポリシー情報に示されるポリシーが、第1のポリシーを含まない、ステップを含み得る。場合により、第1の構成情報が第1のポリシーを含み得る。この可能な設計では、PCFネットワーク要素は、UEのポリシー情報に示されたポリシーをUEに配信しない場合がある。これにより、PCFネットワーク要素がすべてのポリシーをUEに配信する必要がある従来技術と比較して、無線インターフェースリソースを節約できる。
【０００９】
可能な設計では、PCFネットワーク要素によって、UEのポリシー情報に少なくとも基づいて構成情報をUEに送信するステップが、構成情報が第2の構成情報を含む場合、PCFネットワーク要素によって、第2の構成情報をUEに送信するステップであって、第2の構成情報が、第2のポリシーを削除するようにUEに命令するために使用され、UEのポリシー情報に示されるポリシーが、第2のポリシーを含む、ステップを含み得る。場合により、第2の構成情報が第2のポリシーの識別情報を含み得る。この可能な設計は、PCFネットワーク要素がUEのポリシー情報に示されるポリシーを管理する特定の実装形態を提供する。当然のことながら、本出願はそれに限定されない。
【００１０】
可能な設計では、PCFネットワーク要素によって、UEのポリシー情報に少なくとも基づいて構成情報をUEに送信するステップが、構成情報が第3の構成情報を含む場合、PCFネットワーク要素によって、第3の構成情報をUEに送信するステップであって、第3の構成情報が、第3のポリシーを更新するようにUEに命令するために使用され、UEのポリシー情報に示されるポリシーが、第3のポリシーを含む、ステップを含み得る。この可能な設計は、PCFネットワーク要素がUEのポリシー情報に示されるポリシーを管理する特定の実装形態を提供する。当然のことながら、本出願はそれに限定されない。
【００１１】
可能な設計では、本方法は、PCFネットワーク要素によって、更新命令情報を第1のネットワーク要素に送信するステップであって、更新命令情報が、構成情報及び構成情報識別子のうちの少なくとも1つを含み、構成情報識別子が構成情報を示すために使用される、ステップをさらに含み得る。例えば、構成情報が第1の構成情報であり、第1の構成情報が第1のポリシーを含む場合、更新命令情報が、第1のポリシーの識別情報を含み得る。別の例として、構成情報が第2の構成情報であり、第2の構成情報が第2のポリシーの識別情報を含む場合、更新命令が第2のポリシーの識別情報を含み得、以下同様である。別の例は列挙されない。この可能な設計では、UEのポリシー情報が更新されると、PCFネットワーク要素は、UEにその後にサービスを提供するPCFネットワーク要素が第1のネットワーク要素からUEの最新のポリシー情報を取得するのを助けるために、更新されたポリシーに関する情報を第1のネットワーク要素に同期させ、それにより無線インターフェースリソースの節約を助ける。
【００１２】
可能な設計では、本方法は、PCFネットワーク要素によって、UEによって送信されたポリシー格納ステータス情報を受信するステップであって、ポリシー格納ステータス情報は、UEがPCFポリシーを格納しているか否かを示すために使用される、ステップと、UEがPCFポリシーを格納していないことをポリシーステータス情報が示す場合、PCFネットワーク要素によって、PCFポリシーをUEに送信するステップとをさらに含み得る。この可能な設計は、UEに格納されたPCFポリシーが失われるシナリオ、例えば、SIMカードの交換により、UEのSIMカードの交換前に受信されたポリシーが失われるシナリオに適用され得る。PCFポリシーは、UEのポリシー情報に示されるポリシーであり得る。
【００１３】
可能な設計では、PCFネットワーク要素によって、UEによって送信されたポリシー格納ステータス情報を受信するステップは、PCFネットワーク要素によって、AMFネットワーク要素によって送信されたポリシー制御取得要求メッセージを受信するステップであって、ポリシー制御取得要求メッセージがポリシー格納ステータス情報を運び、AMFネットワーク要素が、UEによって送信された登録要求メッセージを受信した後、ポリシー制御取得要求メッセージをPCFネットワーク要素に送信する、ステップを含み得る。この可能な設計は、UEがポリシー格納ステータス情報を報告する方式を提供する。本出願はそれに限定されない。
【００１４】
第2の態様によれば、本出願の一実施形態は、UEのためにポリシーを構成するための方法を提供する。本方法は、第1のネットワーク要素によって、UEのポリシー情報に少なくとも基づいて構成情報をUEに送信するようにPCFネットワーク要素に命令するために、UEのポリシー情報をPCFネットワーク要素に送信するステップであって、ポリシー情報が、UEのポリシーを示すために使用され、構成情報が、UEのポリシーを更新するようにUEに命令するために使用される、ステップを含み得る。
【００１５】
可能な設計では、本方法は、第1のネットワーク要素によって、PCFネットワーク要素によって送信された更新命令情報を受信するステップであって、更新命令情報が、構成情報及び構成情報識別子のうちの少なくとも1つを含み、構成情報識別子が構成情報を示すために使用される、ステップと、第1のネットワーク要素によって、更新命令情報に基づいてUEのポリシー情報を更新するステップとをさらに含み得る。構成情報及び構成情報識別子の例については、上述の説明を参照されたい。細部はここでは説明されない。
【００１６】
可能な設計では、第1のネットワーク要素が第1のAMFネットワーク要素であり、本方法は、第1のAMFネットワーク要素によって、第2のAMFネットワーク要素によって送信されたポリシー情報を受信するステップであって、第2のAMFネットワーク要素は、UEが第1のAMFネットワーク要素に接続する前にUEが接続するAMFネットワーク要素である、ステップをさらに含み得る。この可能な設計は、第1のAMFネットワーク要素がポリシー情報を取得する特定の実装形態を提供する。例えば、第1のAMFネットワーク要素は、登録手順における新しいAMFネットワーク要素であり得、第2のAMFネットワーク要素は、登録手順における古いAMFネットワーク要素であり得る。あるいは、第1のAMFネットワーク要素は、AMFネットワーク要素切り替え手順におけるターゲットAMFネットワーク要素であり得、第2のAMFネットワーク要素は、AMFネットワーク要素切り替え手順におけるソースAMFネットワーク要素であり得る。
【００１７】
可能な設計では、第1のAMFネットワーク要素によって、第2のAMFネットワーク要素によって送信されたポリシー情報を受信するステップは、第1のAMFネットワーク要素によって、第2のAMFネットワーク要素によって送信された第1のメッセージを受信するステップであって、第1のメッセージが、UEのコンテキスト情報及びUEのポリシー情報を含む、ステップを含み得る。例えば、本方法が登録手順に適用される場合、第1のメッセージは、例えば、コンテキスト転送応答メッセージであり得るがそれに限定されない。当然のことながら、本出願はそれに限定されない。
【００１８】
第3の態様によれば、本出願の一実施形態は、UEのためにポリシーを構成するための方法を提供する。本方法は、UEによって、UEがPCFを格納していないことをポリシー格納ステータス情報が示すときに、PCFポリシーをUEに送信するようにPCFネットワーク要素に命令するために、ポリシー格納ステータス情報をPCFネットワーク要素に送信するステップであって、ポリシー格納ステータス情報は、UEがPCFポリシーを格納しているか否かを示すために使用される、ステップと、UEによって、PCFネットワーク要素によって送信されたPCFポリシーを受信するステップとを含み得る。
【００１９】
可能な設計では、UEによって、ポリシー格納ステータス情報をPCFネットワーク要素に送信するステップは、UEによって、登録要求メッセージをAMFネットワーク要素に送信するステップであって、登録要求メッセージがポリシー格納ステータス情報を運び、登録要求メッセージが、ポリシー制御取得要求メッセージをPCFネットワーク要素に送信するようにAMFネットワーク要素に命令するために使用され、ポリシー制御取得要求メッセージがポリシー格納ステータス情報を運ぶ、ステップを含み得る。
【００２０】
可能な設計では、UEによって、ポリシー格納ステータス情報をPCFネットワーク要素に送信するステップは、UEによって、PCFネットワーク要素によって送信された構成情報を受信した後、ポリシー格納ステータス情報をPCFネットワーク要素に送信するステップであって、構成情報が、UEのポリシー情報に少なくとも基づいてPCFネットワーク要素によってUEに送信された構成情報であり、構成情報が、UEのポリシーを更新するようにUEに命令するために使用される、ステップを含み得る。
【００２１】
第2の態様及び第3の態様で提供される任意の方法に基づいて、可能な設計では、第1のネットワーク要素が、AMFネットワーク要素又はUDRネットワーク要素であり得る。別の可能な設計では、UEのポリシー情報が、UEの現在のポリシー、すなわち、UEのためにネットワーク側によって現在構成されているポリシーを示すために使用される。ポリシーは、例えば、URSP、ANDSP、及びWLANSPのうちの少なくとも1つを含み得るがそれに限定されない。当然のことながら、本出願はそれに限定されない。
【００２２】
第4の態様によれば、本出願の一実施形態は、UEのためにポリシーを構成するためのシステムを提供する。本システムは、PCFネットワーク要素、第1のネットワーク要素、及びUEを含み得る。PCFネットワーク要素は、第1の態様における任意の方法を実行するように構成され得、第1のネットワーク要素は、第2の態様において提供される対応する方法を実行するように構成され得、UEは、第3の態様において提供される対応する方法を実行するように構成され得る。
【００２３】
第5の態様によれば、本出願の一実施形態は、PCFネットワーク要素を提供する。PCFネットワーク要素は、第1の態様において提供される任意の方法を実行するように構成され得る。PCFネットワーク要素は、具体的には、第1の態様で説明されたPCFネットワーク要素であり得る。
【００２４】
可能な設計では、PCFネットワーク要素は、第1の態様において提供された方法に基づいて機能モジュールに分割され得る。例えば、各機能モジュールは、対応する機能についての分割によって取得されてもよいし、2つ以上の機能が1つの処理モジュールに統合されてもよい。
【００２５】
別の可能な設計では、PCFネットワーク要素は、メモリとプロセッサとを備え得る。メモリは、コンピュータプログラムを格納するように構成され、コンピュータプログラムがプロセッサによって実行されると、第1の態様において提供される任意の方法が実行される。
【００２６】
第6の態様によれば、本出願の一実施形態は、第1のネットワーク要素を提供する。第1のネットワーク要素は、第2の態様において提供される任意の方法を実行するように構成され得る。第1のネットワーク要素は、具体的には、第2の態様において説明された第1のネットワーク要素であり得る。
【００２７】
可能な設計では、第1のネットワーク要素は、第2の態様において提供された方法に基づいて機能モジュールに分割され得る。例えば、各機能モジュールは、対応する機能についての分割によって取得されてもよいし、2つ以上の機能が1つの処理モジュールに統合されてもよい。
【００２８】
別の可能な設計では、第1のネットワーク要素は、メモリとプロセッサとを備え得る。メモリは、コンピュータプログラムを格納するように構成され、コンピュータプログラムがプロセッサによって実行されると、第2の態様において提供される任意の方法が実行される。
【００２９】
第7の態様によれば、本出願の一実施形態は、端末装置を提供する。端末装置は、第3の態様において提供される任意の方法を実行するように構成され得る。UEは、具体的には、第3の態様において説明されたUEであってもよいし、端末装置はチップであってもよい。
【００３０】
可能な設計では、端末装置は、第3の態様において提供される方法に基づいて機能モジュールに分割され得る。例えば、各機能モジュールは、対応する機能についての分割によって取得されてもよいし、2つ以上の機能が1つの処理モジュールに統合されてもよい。
【００３１】
別の可能な設計では、端末装置は、メモリとプロセッサとを備え得る。メモリは、コンピュータプログラムを格納するように構成され、コンピュータプログラムがプロセッサによって実行されると、第3の態様において提供される任意の方法が実行される。
【００３２】
本出願の一実施形態は、上述の装置の機能（例えば、PCFネットワーク要素、第1のネットワーク要素、又は端末装置）を実装するように構成された処理装置をさらに提供する。処理装置は、プロセッサとインターフェースとを備える。処理装置はチップであってもよい。プロセッサは、ハードウェアによって実装されてもよいし、ソフトウェアによって実装されてもよい。プロセッサがハードウェアによって実装される場合、プロセッサは、論理回路、集積回路などであってよく、プロセッサがソフトウェアによって実装される場合、プロセッサは、汎用プロセッサであってもよく、メモリに格納されたソフトウェアコードを読み取ることによって実装される。メモリは、プロセッサに一体化されてもよいし、プロセッサの外部に配置され、独立して存在してもよい。
【００３３】
本出願の一実施形態は、コンピュータ可読記憶媒体をさらに提供する。コンピュータ可読記憶媒体はコンピュータ命令を格納し、コンピュータ命令がコンピュータ上で実行されると、コンピュータは、第1の態様から第3の態様における任意の可能な方法を実行することができる。
【００３４】
本出願の一実施形態は、コンピュータプログラム製品をさらに提供する。コンピュータプログラム製品がコンピュータ上で実行されると、第1の態様から第3の態様で提供される任意の方法が実行される。
【００３５】
第8の態様によれば、本出願の一実施形態は、PCFネットワーク要素を判定するための方法を提供する。本方法は、UDMネットワーク要素によって、第1のPCFネットワーク要素を、UEにサービスを提供するPCFネットワーク要素として選択するように第1のAMFネットワーク要素に命令するために、第1のPCFネットワーク要素の識別情報を第1のAMFネットワーク要素に送信するステップを含み得る。第1のPCFネットワーク要素は、UEにサービスを提供するために第2のAMFネットワーク要素によって選択されたAMFネットワーク要素である。場合により、第1のAMFネットワーク要素と第2のAMFネットワーク要素とは、同じネットワーク要素であってもよいし、異なるネットワーク要素であってもよい。これは、同じUEに連続して（又は両方が）サービスを提供する2つのAMFネットワーク要素が異なるPCFネットワーク要素を選択するため、又は1つのAMFネットワーク要素が異なる時点で異なるPCFネットワーク要素を選択するため、2つのPCFネットワーク要素がUEのために異なるポリシーを構成し、その結果、UEはどのポリシーが実行されるべきかを把握していないという問題を回避するのを助け得る。
【００３６】
可能な設計では、本方法は、UDMネットワーク要素によって、第1のAMFネットワーク要素によって送信されたクエリ要求メッセージを受信するステップをさらに含み得る。この場合、UDMネットワーク要素によって、第1のPCFネットワーク要素の識別情報を第1のAMFネットワーク要素に送信するステップは、UDMネットワーク要素によって、クエリ応答メッセージを第1のAMFネットワーク要素に送信するステップであって、クエリ応答メッセージが、第1のPCFネットワーク要素の識別情報を運ぶ、ステップを含み得る。この可能な設計は、UDMネットワーク要素が第1のPCFネットワーク要素の識別情報を第1のAMFネットワーク要素に送信する実装シナリオを提供する。当然のことながら、本出願はそれに限定されない。例えば、第1のAMFネットワーク要素がPCFネットワーク要素選択手順を実行する必要があると判定すると、UDMネットワーク要素が第1のPCFネットワーク要素の識別情報を第1のAMFネットワーク要素に送信する。本出願は、第1のAMFネットワーク要素がPCFネットワーク要素選択手順を実行する必要があるとUDMネットワーク要素が判定する特定の実装形態に限定を課さない。
【００３７】
可能な設計では、本方法は、クエリ要求メッセージを受信した後、UDMネットワーク要素によって、第1のPCFネットワーク要素の識別情報を照会するために、クエリ要求メッセージを第2のAMFネットワーク要素に送信するステップをさらに含み得る。UDMネットワーク要素は、第2のAMFネットワーク要素によって送信された第1のPCFネットワーク要素の識別情報を受信する。この可能な設計は、UDMネットワーク要素が第1のPCFネットワーク要素の識別情報を取得する実装形態を提供する。当然のことながら、本出願はそれに限定されない。
【００３８】
可能な設計では、UDMネットワーク要素は、UEのためにAMFネットワーク要素によって選択されたPCFネットワーク要素の識別情報を格納し得る。AMFネットワーク要素は、PCFネットワーク要素選択手順を実行した後、選択されたPCFネットワーク要素をUDMに報告し得る。この場合、クエリ要求メッセージを受信した後、UDMネットワーク要素は、第1のPCFネットワーク要素の識別子を第1のAMFネットワーク要素に送信するために、ローカルに格納された情報を照会し得る。これに基づいて、場合により、本方法は、UDMネットワーク要素によって、第2のPCFネットワーク要素の識別情報を受信するステップであって、第2のPCFネットワーク要素が、UEにサービスを提供するために第1のAMFネットワーク要素によって再選択されたPCFネットワーク要素である、ステップをさらに含み得る。UDMネットワーク要素は、UEにサービスを提供するために第1のAMFネットワーク要素によって選択されたPCFネットワーク要素の識別情報を、第1のPCFネットワーク要素の識別情報から第2のPCFネットワーク要素の識別情報に更新する。これは、後続のAMFネットワーク要素が、UDMネットワーク要素からUEにサービスを提供するPCFネットワーク要素の最新の識別情報を取得するのを助ける。
【００３９】
第9の態様によれば、本出願の一実施形態は、PCFネットワーク要素を判定するための方法を提供する。本方法は、第1のAMFネットワーク要素によって、UDMネットワーク要素によって送信される第1のPCFネットワーク要素の識別情報を受信するステップと、第1のPCFネットワーク要素を、UEにサービスを提供するPCFネットワーク要素として選択するステップとを含み得る。第1のPCFネットワーク要素は、UEにサービスを提供するために第2のAMFネットワーク要素によって選択されたAMFネットワーク要素である。場合により、第1のAMFネットワーク要素と第2のAMFネットワーク要素とは、同じネットワーク要素であってもよいし、異なるネットワーク要素であってもよい。
【００４０】
可能な設計では、本方法は、第1のAMFネットワーク要素によって、クエリ要求メッセージをUDMネットワーク要素に送信するステップであって、クエリ要求メッセージが、第1のPCFネットワーク要素の識別情報を要求するために使用される、ステップをさらに含み得る。第1のAMFネットワーク要素によって、UDMネットワーク要素によって送信された第1のPCFネットワーク要素の識別情報を受信するステップは、第1のAMFネットワーク要素によって、UDMネットワーク要素によって送信されたクエリ応答メッセージを受信するステップであって、クエリ応答メッセージが第1のPCFネットワーク要素の識別情報を運ぶ、ステップを含む。
【００４１】
可能な設計では、本方法は、第1のAMFネットワーク要素によって、UEにサービスを提供するために第2のPCFネットワーク要素を再選択するステップと、UEにサービスを提供するために第1のAMFネットワーク要素によって選択されたPCFネットワーク要素を更新するようにUDMネットワーク要素に命令するために、第2のPCFネットワーク要素の識別情報をUDMネットワーク要素に送信するステップとをさらに含み得る。
【００４２】
第10の態様によれば、本出願の一実施形態は、PCFネットワーク要素を判定するためのシステムを提供する。本システムは、UDMネットワーク要素、第1のAMFネットワーク要素、及び第2のAMFネットワーク要素を含み得る。UDMネットワーク要素は、第8の態様において提供された任意の態様を実行するように構成され得、第1のAMFネットワーク要素は、第9の態様において提供された対応する方法を実行するように構成され得る。
【００４３】
第11の態様によれば、本出願の一実施形態は、UDMネットワーク要素を提供する。UDMネットワーク要素は、第8の態様において提供される任意の方法を実行するように構成され得る。UDMネットワーク要素は、具体的には、第8の態様で説明されたUDMネットワーク要素であり得る。
【００４４】
可能な設計では、UDMネットワーク要素は、第8の態様において提供された方法に基づいて機能モジュールに分割され得る。例えば、各機能モジュールは、対応する機能についての分割によって取得されてもよいし、2つ以上の機能が1つの処理モジュールに統合されてもよい。
【００４５】
別の可能な設計では、UDMネットワーク要素は、メモリとプロセッサとを備え得る。メモリは、コンピュータプログラムを格納するように構成され、コンピュータプログラムがプロセッサによって実行されると、第8の態様において提供される任意の方法が実行される。
【００４６】
第12の態様によれば、本出願の一実施形態は、AMFネットワーク要素を提供する。AMFネットワーク要素は、第9の態様において提供される任意の方法を実行するように構成され得る。AMFネットワーク要素は、具体的には、第9の態様で説明された第1のAMFネットワーク要素であり得る。
【００４７】
可能な設計では、AMFネットワーク要素は、第9の態様において提供された方法に基づいて機能モジュールに分割され得る。例えば、各機能モジュールは、対応する機能についての分割によって取得されてもよいし、2つ以上の機能が1つの処理モジュールに統合されてもよい。
【００４８】
別の可能な設計では、AMFネットワーク要素は、メモリとプロセッサとを備え得る。メモリは、コンピュータプログラムを格納するように構成され、コンピュータプログラムがプロセッサによって実行されると、第9の態様において提供される任意の方法が実行される。
【００４９】
本出願の一実施形態は、上述の装置の機能（例えば、第11の態様で提供されたUDMネットワーク要素又は第12の態様で提供されたAMFネットワーク要素）を実装するように構成された処理装置をさらに提供する。処理装置は、プロセッサとインターフェースとを備える。処理装置はチップであってもよい。プロセッサは、ハードウェアによって実装されてもよいし、ソフトウェアによって実装されてもよい。プロセッサがハードウェアによって実装される場合、プロセッサは、論理回路、集積回路などであってよく、プロセッサがソフトウェアによって実装される場合、プロセッサは、汎用プロセッサであってもよく、メモリに格納されたソフトウェアコードを読み取ることによって実装される。メモリは、プロセッサに一体化されてもよいし、プロセッサの外部に配置され、独立して存在してもよい。
【００５０】
本出願の一実施形態は、コンピュータ可読記憶媒体をさらに提供する。コンピュータ可読記憶媒体はコンピュータ命令を格納し、コンピュータ命令がコンピュータ上で実行されると、コンピュータは、第8の態様及び第9の態様における任意の可能な方法を実行することができる。
【００５１】
本出願の一実施形態は、コンピュータプログラム製品をさらに提供する。コンピュータプログラム製品がコンピュータ上で実行されると、第8の態様及び第9の態様で提供される任意の方法が実行される。
【００５２】
第13の態様によれば、チップシステムが提供される。チップシステムは、上述の態様における機能、例えば、上述の方法におけるデータ及び／又は情報の生成、受信、送信、又は処理を実装するために通信装置によって使用されるプロセッサを備える。可能な設計では、チップシステムはさらにメモリを備え、メモリは、通信装置によって必要とされるプログラム命令及びデータを格納するように構成される。チップシステムは、チップを備えてもよいし、チップと別の別個のデバイスとを備えてもよい。あるいは、チップシステムは装置であってもよい。
【００５３】
上で提示された任意の装置、システム、コンピュータ記憶媒体、又はコンピュータプログラム製品は、上で提示された対応する方法を実行するように構成されることが理解されよう。したがって、この任意の装置、システム、コンピュータ記憶媒体、又はコンピュータプログラム製品によって実現され得る有利な効果については、対応する方法の有利な効果を参照されたい。細部はここでは説明されない。
【図面の簡単な説明】
【００５４】
【図１】本出願の一実施形態において提供される技術的解決策を適用可能な通信システムの概略的なアーキテクチャ図である。
【図２】本出願の一実施形態による通信デバイスの概略構成図である。
【図３】本出願の一実施形態による、UEのためにポリシーを構成するための方法の概略的なフローチャート1である。
【図４】本出願の一実施形態による、UEのためにポリシーを構成するための方法の概略的なフローチャート2である。
【図５】本出願の一実施形態による、UEのためにポリシーを構成するための方法の概略的なフローチャート3である。
【図６】本出願の一実施形態による、UEのためにポリシーを構成するための方法の概略的なフローチャート4である。
【図７】本出願の一実施形態による、UEのためにポリシーを構成するための方法の概略的なフローチャート5である。
【図８】本出願の一実施形態による、UEのためにポリシーを構成するための方法の概略的なフローチャート6である。
【図９】本出願の一実施形態による、UEのためにポリシーを構成するための方法の概略的なフローチャート7である。
【図１０】本出願の一実施形態による、UEのためにポリシーを構成するための方法の概略的なフローチャート8である。
【図１１】本出願の一実施形態による、UEのためにポリシーを構成するための方法の概略的なフローチャート9である。
【図１２】本出願の一実施形態による、UEのためにポリシーを構成するための方法の概略的なフローチャート10である。
【図１３】本出願の一実施形態による、PCFネットワーク要素を判定する概略的なフローチャートである。
【図１４】本出願の一実施形態によるPCFネットワーク要素の概略構成図である。
【図１５】本出願の一実施形態による第1のネットワーク要素の概略構成図である。
【図１６】本出願の一実施形態による端末装置の概略構成図である。
【図１７】本出願の一実施形態によるUDMネットワーク要素の概略構成図である。
【図１８】本出願の一実施形態によるAMFネットワーク要素の概略構成図である。
【発明を実施するための形態】
【００５５】
本出願の説明では、「／」は、別段の指定のない限り「又は」を意味する。例えば、A／BはA又はBを表し得る。本明細書では、「及び／又は」は、関連する対象を記述するための関連関係のみを記述し、3つの関係が存在し得ることを表している。例えば、A及び／又はBは、次の3つの場合、すなわち、Aのみが存在する場合、AとBとの両方が存在する場合、及びBのみが存在する場合を表すことができる。加えて、本明細書の記載において、「複数の（a plurality of）」という用語は、特段の指定のない限り、2つ又は3つ以上を意味する。加えて、本出願の実施形態における技術的解決策を明確に説明するために、「第1の」及び「第2の」などの用語は、基本的に同じ機能又は目的を有する同じアイテム又は類似のアイテムを区別するために、本出願の実施形態で使用される。当業者であれば、「第1の」及び「第2の」などの用語は、数量又は実行シーケンスを限定せず、「第1の」及び「第2の」などの用語は、明確に異なることも意味しないことを理解されよう。
【００５６】
本出願の実施形態において説明されるネットワークアーキテクチャ及びサービスシナリオは、本出願の実施形態における技術的解決策をより明確に説明することが意図されているが、本出願の実施形態において提供される技術的解決策に対する限定を課さないことに留意されたい。当業者であれば、ネットワークアーキテクチャの発展及び新しいサービスシナリオの出現により、本出願の実施形態で提供される技術的解決策が同様の技術的問題にも適用可能であることを認識されよう。
【００５７】
本出願の実施形態において提供される技術的解決策は、無線通信システムに適用されてもよく、無線通信システムは、5Gシステム又は別の将来の通信システムであってもよい。当然のことながら、無線通信システムは、代替的に、ロングタームエボリューション（long term evolution、LTE）システム、LTEアドバンスト（LTE−Advanced、LTE−A）システムなどであってもよい。無線通信システムが5Gシステムであることが例として使用される。図1は、本出願の一実施形態において提供される技術的解決策が適用可能な通信システムの概略的なアーキテクチャ図である。図1では、通信システムは、UE10、無線アクセスネットワーク（radio access network、RAN）又はアクセスネットワーク（access network、AN）20（以下では（R）AN20と呼ばれる）、及びコアネットワーク30を含み得る。コアネットワーク30は、アクセス及びモビリティ管理機能（access and mobility management function、AMF）ネットワーク要素301、PCFネットワーク要素302、統合データリポジトリ（unified data repository、UDR）ネットワーク要素303、統合データ管理（unified data management、UDM）ネットワーク要素304などを含む。UE10は、次世代（next generation、N）ネットワークインターフェース1（略してN1）を使用することによりAMFネットワーク要素301と通信する。（R）AN20は、具体的には、（R）AN20内のネットワーク要素であり、N2インターフェース（略してN2）を使用することによりAMFネットワーク要素301と通信する。AMFネットワーク要素301は、N15インターフェース（略してN15）を使用することによりPCFネットワーク要素302と通信する。PCFネットワーク要素302は、N25インターフェース（略してN25）を使用することによりUDRネットワーク要素303と通信する。AMFネットワーク要素301は、N8インターフェース（略してN8）を使用することによりUDMネットワーク要素304と通信する。上述のネットワーク要素間の接続は、無線接続又は有線接続であり得る。図1では、ネットワーク要素間の接続関係を便利かつ直感的に表すために実線が使用されている。
【００５８】
UE10は、端末（terminal）であり、無線通信機能を有する様々なハンドヘルドデバイス、車載デバイス、ウェアラブルデバイス、若しくはコンピューティングデバイス、又は無線モデムに接続された別の処理デバイスを含むことができ、加入者ユニット（subscriber unit）、携帯電話（cellular phone）、スマートフォン（smartphone）、無線データカード、携帯情報端末（personal digital assistant、PDA）コンピュータ、タブレットコンピュータ、無線モデム（modem）、ハンドヘルド（handheld）デバイス、ラップトップコンピュータ（laptop computer）、コードレス電話（cordless phone）又はワイヤレスローカルループ（wireless local loop、WLL）ステーション、マシンタイプ通信（machine type communication、MTC）端末、ユーザ機器（user equipment、UE）、移動局（mobile station、MS）、端末デバイス（terminal device）、中継ユーザ機器などをさらに含み得る。中継ユーザ機器は、例えば、5Gレジデンシャルゲートウェイ（residential gateway、RG）であり得る。説明を簡単にするために、これらの端末は、本出願ではUEと総称される。
【００５９】
（R）AN20は、ネットワークにアクセスするためにUE10によって使用される。（R）AN20内のネットワーク要素は、例えば、基地局、発展型ノードB（evolved node base station、eNB）、次世代ノードB（next generation node base station、gNB）、new radio eNB（new radio eNB）、マクロ基地局、マイクロ基地局、高周波基地局若しくは送受信ポイント（transmission and reception point、TRP）、非3GPPアクセスネットワーク（例えば、Wi−Fi）、及び／又は非3GPPインターワーキング機能（non−3GPP interworking function、N3IWF）デバイスを含み得るが、これらに限定されない。
【００６０】
AMFネットワーク要素301は、接続管理、モビリティ管理、登録管理、アクセス認証及び認可、アクセシビリティ管理、セキュリティコンテキスト管理などに使用される。通常、1つのAMFネットワーク要素301が1つのUE10にサービスを提供する。場合により、ローミングシナリオでは、2つのAMFネットワーク要素301が両方とも1つのUE10にサービスを提供し得る。UE10の位置が変化すると、UE10にサービスを提供するAMFネットワーク要素301が変更され得る。具体的には、（R）AN20は、AMFネットワーク要素301を選択する手順を実行することができる。加えて、本出願で提供されるいくつかの実施形態では、AMFネットワーク要素301は、UE10のポリシー情報を格納することができ、例えば、UE10のために現在構成されているポリシーを格納することができる。場合により、AMFネットワーク要素301は、UE10のために現在構成される必要があるが構成されていないなどのポリシーをさらに格納することができる。AMFネットワーク要素301に格納されているUE10のポリシー情報は、UE10のためにネットワーク側によって構成されたポリシーが更新されると更新され得る。具体的な例については、以下の説明を参照されたい。UE10のためにネットワーク側によって構成されたポリシーは、UEのためにネットワーク側でPCFネットワーク要素302（UE10に以前にサービスを提供しているPCFネットワーク要素及びUE10に現在サービスを提供しているPCFネットワーク要素302を含む）によって構成されたポリシーを含み得る。UE10のポリシー情報は、UEのポリシー、例えば、ANDSP、URSP、及びワイヤレスローカルエリアネットワーク選択ポリシー（wireless local area networks selection policy、WLANSP）のうちの少なくとも1つを示すために使用され得る。当然のことながら、UEのポリシーは、代替的に別のポリシーであってもよく、本出願では限定されない。
【００６１】
PCFネットワーク要素302は、ポリシーを策定し、ポリシー制御サービスを提供し、ポリシー決定に関連するサブスクリプション情報を取得などするように構成される。PCFネットワーク要素302によって判定され、UE10のために構成される必要があるポリシーが更新され得る。例えば、UE10の位置の変化、UE10のサブスクリプション情報の変化などに基づいて、PCFネットワーク要素302は、UE10のために構成される必要があるポリシーを更新する。例えば、ある時点では、UE10の現在位置、UE10のサブスクリプション情報などに基づいて、PCFネットワーク要素302は、UE10のために構成される必要があるポリシーがポリシー1から10であると判定し、別の時点では、UE10のサブスクリプション情報が変化するため、PCFネットワーク要素302によって判定され、UE10のために構成される必要があるポリシーは、ポリシー5から11である。PCFネットワーク要素302は、UE10のためにポリシーを何度も構成し、UE10のためにPCFネットワーク要素302によって構成されたポリシーに関する情報を格納することができる。例えば、ある時点では、PCFネットワーク要素302によって判定され、UE10のために構成される必要があるポリシーがポリシー1から10であると仮定すると、PCFネットワーク要素302は、ポリシー1から3を1回目にUE10に送信し、ポリシー4から10を2回目にUEに送信することができる。加えて、UE10の位置の変更などの原因に起因して、UE10のためにポリシー制御サービスを提供するPCFネットワーク要素302も変更され得る。具体的には、AMFネットワーク要素301は、PCFネットワーク要素を選択する手順を実行することができる。
【００６２】
UDRネットワーク要素303は、UDMネットワーク要素304のためにサブスクリプションデータを提供する、又はUDMネットワーク要素304からサブスクリプションデータを取得し、PCFネットワーク要素302のためにポリシーデータを提供する、又はPCFネットワーク要素302からポリシーデータを取得するなどのように構成される。加えて、本出願で提供されるいくつかの実施形態では、UDRネットワーク要素303は、UE10のポリシー情報を格納することができる。
【００６３】
UDMネットワーク要素304は、3GPP認証及び鍵合意メカニズムで認証情報を処理し、ユーザ識別情報を処理し、アクセス認可、登録及びモビリティ管理、サブスクリプション管理、SMSメッセージ管理などを実行する、ように構成される。
【００６４】
図示されていないが、5Gネットワークは、ユーザプレーン機能（user plane function、UPF）ネットワーク要素、認証サーバ機能（authentication server function、AUSF）ネットワーク要素、アプリケーション機能（appllication function、AF）ネットワーク要素、ネットワーク公開機能（network exposure function、NEF）ネットワーク要素、及びネットワークスライス選択機能（network slice selection function、NSSF）ネットワーク要素などの他のネットワーク要素をさらに含み得る。このことは、本出願の実施形態において特に限定されない。
【００６５】
図1のネットワーク要素間のインターフェースの名称は単なる例であり、特定の実装形態では、インターフェース名は別の名称であってもよいことに留意されたい。このことは、本出願の実施形態において特に限定されない。
【００６６】
図1におけるAMFネットワーク要素301、PCFネットワーク要素302、UDRネットワーク要素303、UDMネットワーク要素304などは、単なる名称であり、名称はデバイスに限定を課さないことに留意されたい。5Gネットワーク及び別の将来のネットワークでは、AMFネットワーク要素301、PCFネットワーク要素302、UDRネットワーク要素303、及びUDMネットワーク要素304に対応するネットワーク要素又はエンティティは、他の名前を代替的に使用することができる。このことは、本出願の実施形態において特に限定されない。例えば、AMFネットワーク要素301は、AMF301で置き換えられ得る。これについては、ここでは一律に説明され、以下では繰り返し説明されない。
【００６７】
場合により、図1のネットワーク要素（例えば、UE10、AMFネットワーク要素301、PCFネットワーク要素302、UDRネットワーク要素303、及びUDMネットワーク要素304）は、1つのデバイスによって実装されてもよいし、複数のデバイスによって共同で実装されてもよいし、デバイス内の機能モジュールによって実装されてもよい。このことは、本出願の実施形態において特に限定されない。機能は、ハードウェアデバイス内のネットワークコンポーネントであってもよいし、専用ハードウェア上で実行されるソフトウェア機能又はプラットフォーム（例えば、クラウドプラットフォーム）でインスタンス化された仮想化機能であってもよいことが理解されよう。
【００６８】
例えば、図1の各ネットワーク要素は、図2の通信デバイスによって実装され得る。図2は、本出願の一実施形態による通信デバイスのハードウェアの概略構成図である。通信デバイス400は、少なくとも1つのプロセッサ401と、通信回線402と、メモリ403と、少なくとも1つの通信インターフェース404とを備える。
【００６９】
プロセッサ401は、汎用中央処理ユニット（central processing unit、CPU）、マイクロプロセッサ、特定用途向け集積回路（application−specific integrated circuit、ASIC）、又は本出願の解決策のプログラム実行を制御するように構成された1つ又は複数の集積回路であり得る。
【００７０】
通信回線402は、上記の構成要素間で情報を送信するための経路を含み得る。
【００７１】
通信インターフェース404は、送受信機などの任意の装置を使用し、別のデバイス、又はイーサネット、RAN、若しくはワイヤレスローカルエリアネットワーク（wireless local area networks、WLAN）などの通信ネットワークと通信するように構成される。
【００７２】
メモリ403は、読み取り専用メモリ（read−only memory、ROM）若しくは静的な情報及び命令を格納できる別のタイプの静的記憶デバイス、ランダムアクセスメモリ（random access memory、RAM）若しくは情報及び命令を格納できる別のタイプの動的記憶デバイスであってもよいし、又は電気的に消去可能なプログラマブル読み取り専用メモリ（electrically erasable programmable read−only memory、EEPROM）、コンパクトディスク読み取り専用メモリ（compact disc read−only memory、CD−ROM）、又は他のコンパクトディスク記憶装置若しくは光ディスク記憶装置（圧縮光ディスク、レーザディスク、光ディスク、デジタル多用途ディスク、ブルーレイ（登録商標）光ディスクなどを含む）、磁気ディスク記憶媒体又は別の磁気記憶デバイス、あるいは命令又はデータ構造の形で予期されるプログラムコードを運ぶ、又は格納することができ、コンピュータによってアクセス可能であるが、それに限定されない、他の任意の媒体であってもよい。メモリは、独立に存在してもよく、通信回線402を使用することによりプロセッサに接続される。あるいは、メモリはプロセッサと一体化されてもよい。
【００７３】
メモリ403は、本出願の解決策を実行するために使用されるコンピュータ実行可能命令を格納するように構成され、コンピュータ実行可能命令は、プロセッサ401によって制御及び実行される。プロセッサ401は、本出願の以下の実施形態において提供される方法を実施するために、メモリ403に格納されたコンピュータ実行可能命令を実行するように構成される。
【００７４】
場合により、本出願の本実施形態におけるコンピュータ実行可能命令は、アプリケーションプログラムコードとも呼ばれ得る。このことは、本出願の本実施形態では特に限定されない。
【００７５】
具体的な実装形態では、一実施形態では、プロセッサ401は、1つ又は複数のCPU、例えば図2のCPU0及びCPU1を含むことができる。
【００７６】
具体的な実装形態では、一実施形態では、通信デバイス400は、複数のプロセッサ、例えば図2のプロセッサ401及びプロセッサ408を備えることができる。これらのプロセッサのそれぞれは、シングルコア（single−CPU）プロセッサであってもよいし、マルチコア（multi−CPU）プロセッサであってもよい。本明細書のプロセッサは、データ（例えば、コンピュータプログラム命令）を処理するように構成された1つ若しくは複数のデバイス、回路、及び／又は処理コアであり得る。
【００７７】
特定の実装形態では、一実施形態では、通信デバイス400は、出力デバイス405と入力デバイス406とをさらに備え得る。出力デバイス405はプロセッサ401と通信し、複数の方式で情報を表示することができる。例えば、出力デバイス405は、液晶ディスプレイ（liquid crystal display、LCD）、発光ダイオード（light emitting diode、LED）表示デバイス、陰極線管（cathode ray tube、CRT）表示デバイス、又はプロジェクタ（projector）であり得る。入力デバイス406は、プロセッサ401と通信し、複数の方式でユーザ入力を受信することができる。例えば、入力デバイス406は、マウス、キーボード、タッチスクリーンデバイス、又はセンシングデバイスであり得る。
【００７８】
通信デバイス400は、汎用デバイスであっても専用デバイスであってもよい。特定の実装形態では、通信デバイス400は、デスクトップコンピュータ、ポータブルコンピュータ、ネットワークサーバ、携帯情報端末（personal digital assistant、PDA）、携帯電話、タブレットコンピュータ、無線端末デバイス、埋め込みデバイス、又は図2における構造と同様の構造を有するデバイスであり得る。通信デバイス400のタイプは、本出願の本実施形態では限定されない。
【００７９】
図1及び図2を参照して、以下では、本出願で提供されるUEのためにポリシーを構成するための方法について説明する。本出願の以下の実施形態では、ネットワーク要素間で送信されるメッセージの名称又はメッセージ内の各パラメータの名称は単なる例であり、特定の実装形態では別の名称が代替的に使用され得ることに留意されたい。これについては、ここでは一律に説明され、本出願の実施形態において特に限定されない。
【００８０】
図3は、本出願の一実施形態による、UEのためにポリシーを構成するための方法を示している。本方法は、図1に示される通信システムに適用され得る。本方法は、以下のステップを含む。
【００８１】
S101：第1のネットワーク要素は、UEのポリシー情報（例えば、UE policy status information）をPCFネットワーク要素に送信し、PCFネットワーク要素は、UEのポリシー情報を受信する。UEのポリシー情報は、UEのポリシーを示すために使用される。第1のネットワーク要素は、UDRネットワーク要素又はAMFネットワーク要素であり得る。
【００８２】
本実施形態で提供されるUEのためにポリシーを構成するための方法は、登録手順又はPCFネットワーク要素切り替え手順に適用され得るが、これらに限定されない。PCFネットワーク要素切り替え手順は、AMFネットワーク要素が切り替えられないときに実行されるPCFネットワーク要素切り替え手順と、AMFネットワーク要素が切り替えられるときに実行されるPCFネットワーク要素切り替え手順とを含む。
【００８３】
本出願は、第1のネットワーク要素がS101を実行するトリガー条件に限定を課さない。例えば、第1のネットワーク要素がUDRネットワーク要素である場合、UDRネットワーク要素は、PCFネットワーク要素から送信された要求メッセージ（例えば、ポリシー制御取得要求メッセージ）を受信すると、UEのポリシー情報をPCFネットワーク要素に送信し得る。第1のネットワーク要素がAMFネットワーク要素である場合、AMFネットワーク要素は、PCFネットワーク要素選択手順を実行した後に、UEのポリシー情報を選択されたPCFネットワーク要素に送信し得る。本出願はそれに限定されない。
【００８４】
PCFネットワーク要素は、1つ又は複数のUEにサービスを提供することができ、S101におけるUEは、PCFネットワーク要素によってサービスを提供される任意のUEであり得る。任意のUEにサービスを提供するPCFネットワーク要素は変更され得る。UEのポリシー情報は、UEの現在のポリシー、すなわち、UEのためにネットワーク側によって現在構成されているポリシーを示すために使用される。例えば、ポリシーは、UEに（以前にサービスを提供した、又はサービスを提供していることを含み）サービスを提供する1つ又は複数のPCFネットワーク要素（S101のPCFネットワーク要素及び別のPCFネットワーク要素を含む）によってUEのために構成された1つ又は複数のポリシーを含み得る。
【００８５】
本出願では、第1のネットワーク要素は、UEのポリシー情報を格納し得る。PCFネットワーク要素が構成情報をUEに送信するとき、第1のネットワーク要素に格納されているUEのポリシー情報は、第1のネットワーク要素に同期され得る。当然のことながら、本出願はそれに限定されない。PCFネットワーク要素がUEのポリシー情報を第1のネットワーク要素に同期させる特定の実装形態については、以下の説明、例えば以下の図4から図6を参照されたい。本出願は、UEのポリシー情報の特定のモードに限定を課さない。いくつかの可能なモードが以下に示される。
【００８６】
モード1：UEのポリシー情報は、UEの識別情報とUEのためにネットワーク側によって構成されたポリシーの識別情報との間の対応として特に表され得る。例えば、ある時点では、UE1のためにネットワーク側によって構成される必要があるポリシーがポリシー1から3であり、UE2のためにネットワーク側によって構成される必要があるポリシーがポリシー1から4であり、UE3のためにネットワーク側によって構成される必要があるポリシーがポリシー3及び4であると仮定される。現在、UE1のためにネットワーク側によって構成されたポリシーはポリシー1であり、UE2のためにネットワーク側によって構成されたポリシーはポリシー1及び2であり、UE3のためにネットワーク側によって構成されたポリシーはポリシー3及び4である。この場合、第1のネットワーク要素に格納されているUEのポリシー情報は、表1に示され得る。
【００８７】
【表１】
2021510997.tif 000003
【００８８】
モード2：UEのポリシー情報は、UEの識別情報と、UEのためにネットワーク側によって構成される必要があるポリシーの識別情報と、UEのためにネットワーク側によって構成される必要がある各ポリシーが構成された状態であるか否かとの間の対応として特に表され得る。例えば、構成された状態にあることを示すために2進数「1」が使用され得、未構成状態にあることを示すために2進数「0」が使用され得る。例えば、表1に示される例に基づいて、このモードでは、第1のネットワーク要素に格納されているUEのポリシー情報は、表2に示され得る。
【００８９】
【表２】
2021510997.tif 000004
【００９０】
モード3：UEのポリシー情報は、UEの識別情報とUEのためにネットワーク側によって構成されたポリシーの内容との間の対応として特に表され得る。例えば、表1に示される例に基づいて、このモードでは、第1のネットワーク要素に格納されているUEのポリシー情報は、表3に示され得る。
【００９１】
【表３】
2021510997.tif 000005
【００９２】
モード4：UEのポリシー情報は、UEの識別情報と、UEのためにネットワーク側によって構成される必要があるポリシーの内容と、UEのためにネットワーク側によって構成される必要がある各ポリシーが構成された状態であるか否かとの間の対応として特に表され得る。例えば、構成された状態にあることを示すために2進数「1」が使用され得、未構成状態にあることを示すために2進数「0」が使用され得る。例えば、表1に示される例に基づいて、このモードでは、第1のネットワーク要素に格納されているUEのポリシー情報は、表4に示され得る。
【００９３】
【表４】
2021510997.tif 000006
【００９４】
例えば、S101におけるUEがUE2であると仮定される。この場合、UEのポリシー情報が表1に示されている場合、UEのポリシー情報は、具体的には、ポリシー1の識別情報及びポリシー2の識別情報であり得る。UEのポリシー情報が表2に示されている場合、UEのポリシー情報は、具体的には、ポリシー1及び2の識別情報並びに状態「11」であり、状態「11」はポリシー1及び2が構成されていることを示す、又はUEのポリシー情報は、具体的には、ポリシー1から4の識別情報及び状態「1100」であり、状態「1100」は、ポリシー1及び2が構成され、ポリシー3及び4が構成されていないことを示す。UEのポリシー情報が表3に示されている場合、UEのポリシー情報は、具体的には、ポリシー1の内容及びポリシー2の内容であり得る。UEのポリシー情報が表4に示されている場合、UEのポリシー情報は、具体的には、ポリシー1及び2の内容並びに状態「11」であり、状態「11」はポリシー1及び2が構成されていることを示す、又はUEのポリシー情報は、具体的には、ポリシー1から4の内容及び状態「1100」であり、状態「1100」は、ポリシー1及び2が構成され、ポリシー3及び4が構成されていないことを示す。
【００９５】
第1のネットワーク要素によってPCFネットワーク要素に送信されるUEのポリシー情報は、第1のネットワーク要素に格納されているUEのポリシー情報の一部又は全部であり得ることに留意されたい。例えば、S101におけるUEがUE2であると仮定される。この場合、UEのポリシー情報が表1に示されている場合、UEのポリシー情報は、具体的には、ポリシー1の識別情報であり得る。別の例は列挙されない。
【００９６】
表1から表4は、第1のネットワーク要素に格納されているUEのポリシー情報の例であり、第1のネットワーク要素に格納されているUEのポリシー情報に限定を課さないことが理解されよう。
【００９７】
第1のネットワーク要素がAMFネットワーク要素である場合、AMFネットワーク要素は、現在（すなわち、S101が実行される時点での）UEにサービスを提供するAMFネットワーク要素（例えば、図9の新しいAMFネットワーク要素又は図10のソースAMFネットワーク要素）であり得ることに留意されたい。AMFネットワーク要素がUEに最初にサービスを提供するAMFネットワーク要素ではない場合、AMFネットワーク要素は、現在の時点の前にUEにサービスを提供するAMFネットワーク要素（例えば、図9の古いAMFネットワーク要素又は図10のターゲットAMFネットワーク要素）によって送信されたUEのポリシー情報を受信した後、UEのポリシー情報をPCFネットワーク要素に送信し得る。
【００９８】
S102：PCFネットワーク要素は、UEのポリシー情報を格納する。
【００９９】
その後、本出願は、格納されたUEのポリシー情報をPCFネットワーク要素がどのように使用するかについては限定を課さない。例えば、PCFネットワーク要素は、UEのためにPCFネットワーク要素によって構成されたポリシーを管理する方式で、UEのポリシー情報に示されるポリシーを管理し得る。例えば、S103が実行され得る。
【０１００】
S103：PCFネットワーク要素は、UEのポリシー情報に少なくとも基づいて構成情報をUEに送信する。例えば、PCFネットワーク要素は、UEのポリシー情報と、UEの位置の変更及びUEのサブスクリプション情報の変更のうちの少なくとも1つとに基づいて、構成情報をUEに送信し得る。
【０１０１】
具体的には、PCFネットワーク要素が構成情報をUEに送信することは、次のケースのうちの少なくとも1つを含み得る、すなわち、（1）PCFネットワーク要素が、1つ又は複数の新しいポリシーをUEに配信する。（2）PCFネットワーク要素が、S101においてUEのポリシー情報に示された1つ又は複数のポリシーを削除するようUEに命令する。（3）PCFネットワーク要素が、S101においてUEのポリシー情報に示された1つ又は複数のポリシーの内容を変更するようにUEに命令する。
【０１０２】
場合により、モード1及びモード2のいずれかに基づいて、ケース（1）又は（2）を実行すると、PCFネットワーク要素は、UEのためにネットワーク側によって構成されたポリシーの識別情報を更新する、つまり、UEのポリシー情報を更新する。したがって、PCFネットワーク要素は、UEにその後にサービスを提供するPCFネットワーク要素が第1のネットワーク要素からUEの最新のポリシー情報を取得するのを助けるために、更新されたポリシーの識別情報を第1のネットワーク要素に同期させ得る。モード3及びモード4のいずれかに基づいて、ケース（1）、（2）、又は（3）を実行すると、PCFネットワーク要素は、UEのためにネットワーク側によって構成されたポリシーを更新する。したがって、PCFネットワーク要素は、UEにその後にサービスを提供するPCFネットワーク要素が第1のネットワーク要素からUEの最新のポリシー情報を取得するのを助けるために、更新されたポリシーを第1のネットワーク要素に同期させ得る。
【０１０３】
以下では、UEのポリシー情報が、モード1又はモード2で記述されたポリシー情報である例が説明のために用いられる。加えて、ケース（1）は図4を参照しながら説明され、ケース（2）は図5を参照しながら説明され、ケース（3）は図6を参照しながら説明される。
【０１０４】
図4は、本出願の一実施形態による、UEのためにポリシーを構成するための方法のフローチャートである。本方法は、以下のステップを含み得る。
【０１０５】
S201：PCFネットワーク要素は、第1の構成情報をUEに送信し、UEは、第1の構成情報を受信する。第1の構成情報は、UEのために第1のポリシーを構成するために使用され、S101においてUEのポリシー情報に示されるポリシーは、第1のポリシーを含まない。
【０１０６】
第1の構成情報は、第1のポリシーの内容を運び得る。場合により、第1の構成情報は、第1のポリシーの識別情報をさらに運び得る。
【０１０７】
具体的には、PCFネットワーク要素は、UEの位置の変更及びUEのサブスクリプション情報の変更などの情報に基づいて、新しいポリシーがUEに配信される必要があると判定し、したがってS201を実行し得る。新しいポリシーは、S101においてUEのポリシー情報に示されたポリシー以外のポリシーである。PCFネットワーク要素は、AMFネットワーク要素を介して第1の構成情報をUEに送信し得る。
【０１０８】
S202：UEは、第1の構成情報を受信した後、第1のポリシーを格納する。
【０１０９】
その後、UEは、第1のポリシーに基づいて、第1のポリシーに対応する動作を実行し得る。例えば、第1のポリシーがANDSPであると仮定すると、UEは、第1のポリシーで示されるアクセスモードに基づいてネットワークアクセスを実行し得る。
【０１１０】
S203：PCFネットワーク要素は、第1の更新命令情報を第1のネットワーク要素に送信し、第1のネットワーク要素は、第1の更新命令情報を受信する。第1の更新命令情報は、第1のネットワーク要素に格納されているUEのポリシー情報を更新し、第1のポリシーを、UEのためにネットワーク側によって構成されたポリシーとして特にマークするように第1のネットワーク要素に命令するために使用される。
【０１１１】
第1の更新命令情報は、第1のポリシーの識別情報を運び得る。
【０１１２】
S204：第1の更新命令情報に基づいて、第1のネットワーク要素は、UEのためにネットワーク側によって構成されたポリシーとして第1のポリシーをマークする。
【０１１３】
例えば、表1を参照すると、UEがUE2である場合、S101においてUEのポリシー情報に示されるポリシーは、ポリシー1及びポリシー2であり得る。つまり、UEのためにネットワーク側によって構成されたポリシーは、ポリシー1及びポリシー2である。本実施形態では、第1のポリシーは、ポリシー3又はポリシー4であり得る。第1のポリシーがポリシー3である場合、S204が実行された後、第1のネットワーク要素に格納されている各UEのポリシー情報は、表5に示され得る。
【０１１４】
【表５】
2021510997.tif 000007
【０１１５】
本出願は、S201及びS202、並びにS203及びS204を実行するシーケンスに限定を課さないことに留意されたい。例えば、S201及びS202がS203及びS204の前に行われてもよいし、S203及びS204がS201及びS202の前に行われてもよいし、S201及びS202とS203及びS204とが同時に行われてもよい。
【０１１６】
本実施形態では、一態様では、PCFネットワーク要素は、UEのポリシー情報に示されるポリシーをUEに配信しない場合がある。これにより、PCFネットワーク要素がすべてのポリシーをUEに配信する必要がある従来技術と比較して、無線インターフェースリソースを節約できる。別の態様では、UEのために第1のポリシーを構成するとき、すなわち、UEのポリシー情報が更新されると、PCFネットワーク要素は、UEにその後にサービスを提供するPCFネットワーク要素が第1のネットワーク要素からUEの最新のポリシー情報を取得するのを助けるために、更新されたポリシーに関する情報を第1のネットワーク要素に同期させ、それにより無線インターフェースリソースの節約を助ける。
【０１１７】
図5は、本出願の一実施形態による、UEのためにポリシーを構成するための方法のフローチャートである。本方法は、以下のステップを含み得る。
【０１１８】
S301：PCFネットワーク要素は、第2の構成情報をUEに送信し、UEは、第2の構成情報を受信する。第2の構成情報が、第2のポリシーを削除するようにUEに命令するために使用され、S101においてUEのポリシー情報に示されるポリシーが、第2のポリシーを含む。
【０１１９】
ポリシー削除命令は、第2のポリシーの識別情報を運び得る。
【０１２０】
具体的には、PCFネットワーク要素は、UEの位置の変更及びUEのサブスクリプション情報の変更などの情報に基づいて、UEのためにネットワーク側によって構成された1つ又は複数のポリシーがもはや適用可能ではないと判定することができ、したがって、第2の構成情報をUEに送信し得る。PCFネットワーク要素は、AMFネットワーク要素を介して第2の構成情報をUEに送信し得る。第2のポリシーは、PCFネットワーク要素によって判定され、UEに適用可能ではなくなったポリシーである。
【０１２１】
S302：UEは、第2の構成情報に基づいて第2のポリシーを削除する。具体的には、UEは、第2の構成情報に基づいて、第2のポリシーの内容及び第2のポリシーの識別情報を削除する。
【０１２２】
その後、UEは、第2のポリシーに基づいて、第2のポリシーに対応する動作をもはや実行することができない。例えば、第2のポリシーがANDSPであると仮定すると、UEは、第2のポリシーで示されたアクセスモードに基づいてネットワークアクセスをもはや実行できない。
【０１２３】
S303：PCFネットワーク要素は、第2の更新命令情報を第1のネットワーク要素に送信し、第1のネットワーク要素は、第2の更新命令情報を受信する。第2の更新命令情報は、第1のネットワーク要素にローカルに格納されているUEのポリシー情報を更新するように第1のネットワーク要素に命令し、第2のポリシーを、UEのために構成され、ネットワーク側によって削除されたポリシーとして、つまりUEのためにネットワーク側によって構成されていないポリシーとして特にマークする、ために使用される。第2の更新命令情報は、第2のポリシーの識別情報を運び得る。
【０１２４】
S304：第2の更新命令情報に基づいて、第1のネットワーク要素は、第2のポリシーを、UEのためにネットワーク側によって構成されていないポリシーとしてマークする。
【０１２５】
例えば、表1を参照すると、UEがUE2である場合、S101においてUEのポリシー情報に示されるポリシーは、ポリシー1及びポリシー2であり得る。つまり、UEのためにネットワーク側によって構成されたポリシーは、ポリシー1及びポリシー2である。本実施形態では、第2のポリシーは、ポリシー1又はポリシー2であり得る。第1のポリシーがポリシー1である場合、S304が実行された後、第1のネットワーク要素に格納されている各UEのポリシー情報は、表6に示され得る。
【０１２６】
【表６】
2021510997.tif 000008
【０１２７】
本出願は、S301及びS302、並びにS303及びS304を実行するシーケンスに限定を課さないことに留意されたい。例えば、S301及びS302がS303及びS304の前に行われてもよいし、S303及びS304がS301及びS302の前に行われてもよいし、S301及びS302とS303及びS304とが同時に行われてもよい。
【０１２８】
加えて、S301及びS302が最初に実行される場合、可能な実装形態では、S301においてUEが第2の構成情報の受信を実行した後、UEが第2のポリシーがローカルに格納されていると判定した場合、UEはS302を実行することに留意されたい。S302が実行された後、S303及びS304が実行され得る。第2のポリシーがローカルに格納されていないとUEが判定した場合、UEは、エラー指示情報をPCFネットワーク要素に送信し得る。エラー指示情報は、第2のポリシーがUEに格納されていないことを示すために使用される。PCFネットワーク要素がエラー指示情報を受信した後、S303及びS304は実行されなくなり得る。S303及びS304が最初に実行される場合、可能な実装形態では、S303において第1のネットワークが第2の命令情報を受信した後、第2のポリシーがUEのためにネットワーク側によって構成されたポリシーとしてローカルにマークされていると第1のネットワーク要素が判定した場合、第1のネットワーク要素はS304を実行する。S304が実行された後、S301及びS302が実行され得る。第2のポリシーがUEのためにネットワーク側によって構成されたポリシーとしてローカルにマークされていないと第1のネットワーク要素が判定した場合、第1のネットワーク要素はエラー指示情報をPCFネットワーク要素に送信し得る。エラー指示情報は、第2のポリシーが第1のネットワーク要素に格納されていないことを示すために使用される。PCFネットワーク要素がエラー指示情報を受信した後、S301及びS302は実行されなくなり得る。S301及びS302とS303及びS304とが同時に実行される場合、第2のポリシーがローカルに格納されていないと判定すると、UE及び第1のネットワークの両方が、エラー指示情報をPCFネットワーク要素に送信し得る。エラー指示情報が送信される上述の実装形態のうちのいずれか1つは、PCFネットワーク要素の制御下で、UEのためにネットワーク側によって構成されたポリシーに関するものであり、UEに格納されている情報が、UEのためにネットワーク側によって構成されたポリシーに関するものであり、第1のネットワーク要素に格納されている情報と一致できるようにするのを助け、それにより、ネットワーク側がUEのために同じポリシーを繰り返し構成するために無線インターフェースリソースが浪費されるという問題の発生を回避するのを助ける。加えて、この概念は、図4に示されるUEのためにポリシーを構成する実施形態にも適用され得る。この場合、第1のポリシーがローカルに格納されていることを示すためにエラー指示情報が使用され得る。特定の解決策は、本明細書では詳細に説明されない。
【０１２９】
本実施形態では、PCFネットワーク要素は、S101においてUEのポリシー情報に示されるポリシーを管理し得る。具体的には、PCFネットワーク要素は、これらのポリシーにおける1つ又は複数のポリシーを削除し得る。加えて、1つ又は複数のポリシーが削除されたためにUEのポリシー情報が更新されると、UEにその後にサービスを提供するPCFネットワーク要素が第1のネットワーク要素からUEの最新のポリシー情報を取得するのを助けるために、更新されたポリシーに関する情報が第1のネットワーク要素に同期され、それにより無線インターフェースリソースの節約を助ける。
【０１３０】
図4又は図5に示される技術的解決策に基づいて、第1のネットワーク要素がAMFネットワーク要素である場合、PCFネットワーク要素によってAMFネットワーク要素に送信された更新命令情報（第1の更新命令情報又は第2の更新命令情報など）は、AMFネットワーク要素によって識別される必要があり、それによりAMFネットワーク要素は、更新命令情報に基づいて、UEの格納されたポリシー情報を更新し得ることに留意されたい。これに基づいて、可能な実装形態では、更新命令情報は、PCFネットワーク要素とAMFネットワーク要素との間で送信されたメッセージ内のNAS container（コンテナ）以外の情報であり得る。加えて、PCFネットワーク要素によってAMFネットワーク要素を介してUEに送信される以下の第1の構成情報、第2の構成情報、及び第3の構成情報は、NASを使用することにより透過的に送信され得る。
【０１３１】
図6は、本出願の一実施形態による、UEのためにポリシーを構成するための方法のフローチャートである。本方法は、以下のステップを含み得る。
【０１３２】
S401：PCFネットワーク要素は、第3の構成情報をUEに送信し、UEは、第3の構成情報を受信する。第3の構成情報は、第3のポリシーを更新するようにUEに命令するために使用され、S101においてUEのポリシー情報に示されるポリシーが、第3のポリシーを含む。第3のポリシーを更新することは、具体的には、第3のポリシーの内容を更新することである。
【０１３３】
第3の構成情報は、第3のポリシーの識別情報及び新しい第3のポリシーに関する情報を運び得る。新しい第3のポリシーに関する情報は、新しい第3のポリシーに関するすべての情報、新しい第3のポリシーとUEに現在格納されている第3のポリシーとの間の差に関する情報などであり得る。このことは、本出願において限定されない。
【０１３４】
具体的には、PCFネットワーク要素は、UEの位置の変更及びUEのサブスクリプション情報の変更などの情報に基づいて、UEのためにネットワーク側によって構成された1つ又は複数のポリシーの内容が変更される必要があると判定することができ、したがって、第3の構成情報をUEに送信し得る。PCFネットワーク要素は、AMFネットワーク要素を介して第3の構成情報をUEに送信し得る。
【０１３５】
S402：UEは、第3の構成情報に基づいて、現在格納されている第3のポリシーを新しい第3のポリシーに更新する。
【０１３６】
例えば、表1を参照すると、UEがUE2である場合、S101においてUEのポリシー情報に示されるポリシーは、ポリシー1及びポリシー2であり得る。つまり、UEのためにネットワーク側によって構成されたポリシーは、ポリシー1及びポリシー2である。本実施形態では、第3のポリシーは、ポリシー1又はポリシー2であり得る。
【０１３７】
本実施形態で提供される技術的解決策では、PCFネットワーク要素は、S101においてUEのポリシー情報に示されるポリシーを管理し得る。具体的には、PCFネットワーク要素は、これらのポリシーにおける1つ又は複数のポリシーの内容を更新し得る。モード1又はモード2に基づいて、PCFネットワーク要素は、更新されたポリシーに関する情報を第1のネットワーク要素に同期させる必要がないことが理解されよう。
【０１３８】
上では、本出願で提供されるUEのためにポリシーを構成するための方法を説明するための粒度としてポリシーを使用していることに留意されたい。実際の実装プロセスでは、UEのためにポリシーを構成するための粒度としてポリシーグループもまた使用され得、1つのポリシーグループが1つ又は複数のポリシーを含む。構成情報は、第1の構成情報、第2の構成情報、又は第3の構成情報のうちの少なくとも2つを含み得る。PCFネットワーク要素は、第1の構成情報、第2の構成情報、又は第3の構成情報のうちの少なくとも2つを含む構成情報をUEに送信する必要がある。構成情報における異なる構成情報は、異なる動作を実行するようにUEに個別に命令するために使用される。
【０１３９】
第1のネットワーク要素がUDRネットワーク要素であることが例として用いられる。図7は、図3に示される技術的解決策が適用される登録手順の概略図である。具体的には、次の手順が含まれる。
【０１４０】
S501：UEは登録要求メッセージを（R）ANに送信する。
【０１４１】
S502：登録要求メッセージを受信した後、（R）ANは、UEの現在の登録プロセスにおいてUEにサービスを提供するAMFネットワーク要素（以下、新しいAMFネットワーク要素と呼ばれる）を判定するために、AMFネットワーク要素選択手順を実行する。
【０１４２】
S503：（R）ANは、登録要求メッセージを新しいAMFネットワーク要素に送信する。
【０１４３】
（R）ANがUEによって送信された登録要求メッセージを受信した後、（R）ANは、通常、5G一時識別子をUEに割り当て得ることに留意されたい。加えて、（R）ANは、5G一時識別子に基づいて、この登録手順が実行される前にUEが別のAMFネットワーク要素（すなわち、古いAMFネットワーク要素）にアクセスしているか否かを判定し得る。UEが古いAMFネットワーク要素に以前にアクセスしている場合、古いAMFネットワーク要素の識別情報が、S503において登録要求メッセージで運ばれる。新しいAMFネットワーク要素及び古いAMFネットワーク要素が同じネットワーク要素ではない場合、S504及びS505が実行され得、それにより新しいAMFネットワーク要素は、古いAMFネットワーク要素と情報を交換することによりUEのコンテキスト情報を取得する。次いで、S506が実行され得る。新しいAMFネットワーク要素及び古いAMFネットワーク要素が同じネットワーク要素である場合、S506が直接実行され得る。UEが古いAMFネットワーク要素に以前にアクセスしていない場合、新しいAMFネットワーク要素は、S506を実行するために、従来技術の手順に基づいてUEのコンテキスト情報を確立し得る。UEのコンテキスト情報を確立する手順は、従来技術で詳細に説明されており、詳細はここでは説明されない。
【０１４４】
S504：新しいAMFネットワーク要素は、コンテキスト転送要求メッセージを古いAMFネットワーク要素に送信する。コンテキスト転送要求メッセージは、UEの識別情報を運び、UEのコンテキスト情報を要求するために使用される。UEの識別情報は、5Gの一時的識別子であり得る。
【０１４５】
S505：古いAMFネットワーク要素は、コンテキスト転送応答メッセージを新しいAMFネットワーク要素に送信する。コンテキスト転送応答メッセージは、UEのコンテキスト情報を運ぶ。
【０１４６】
S506：新しいAMFネットワーク要素は、UEの現在の登録プロセスにおいてUEにサービスを提供するPCFネットワーク要素を判定するために、PCFネットワーク要素選択手順を実行する。
【０１４７】
S507：新しいAMFネットワーク要素は、ポリシー制御取得要求メッセージをPCFネットワーク要素に送信する。ポリシー制御取得要求メッセージは、UEにポリシーを配信するようにPCFネットワーク要素に要求するために使用される。
【０１４８】
S508：PCFネットワーク要素は、第1の要求メッセージをUDRネットワーク要素に送信する。第1の要求メッセージは、UEのポリシー情報を要求するために使用される。
【０１４９】
S509：UDRネットワーク要素は、第1の応答メッセージをPCFネットワーク要素に送信する。第1の応答メッセージは、UEのポリシー情報を運び、UEのポリシー情報は、UEのポリシーを示すために使用される。
【０１５０】
PCFネットワーク要素が、UEが接続する第1のPCFネットワーク要素である場合、ネットワーク側はUEのためにポリシーを構成しない。この場合、UDRネットワーク要素は、UEのためにネットワーク側によって構成されたポリシーに関する情報を格納しない。したがって、S509においてUEのポリシー情報に示されるポリシーは空である。PCFネットワーク要素は、従来技術で提供された方法に基づいて、UEのためにポリシーを構成し得る。
【０１５１】
PCFネットワーク要素が、UEが接続する第1のPCFネットワーク要素ではない場合、ネットワーク側はUEのために1つ又は複数のポリシーを構成している場合がある。この場合、UDRネットワーク要素は、UEのためにネットワーク側によって構成されたポリシーに関する情報を格納し得る。したがって、S509においてUEのポリシー情報に示されるポリシーは空ではない。
【０１５２】
加えて、PCFネットワーク要素が、UEが接続する第1のPCFネットワーク要素ではない場合、UDRネットワーク要素は、ネットワーク側は図5に示されるUEのためにポリシーを構成するための方法を少なくとも実行するため、UEのためにネットワーク側によって構成されたポリシーに関する情報を格納していない場合がある。この場合、S509においてUEのポリシー情報に示されるポリシーは空である。PCFネットワーク要素は、従来技術で提供された方法に基づいて、UEのためにポリシーを構成し得る。
【０１５３】
UEが登録されているか否かに関係なく、UDRネットワーク要素は、UEのポリシー情報を格納し得ることに留意されたい。
【０１５４】
S509が実行された後、本方法は、PCFネットワーク要素によって、UEのポリシー情報を格納するステップをさらに含み得る。その後、PCFネットワーク要素がUEのポリシー情報をどのように使用するかについては、図4から図6を参照されたい。一例では、PCFネットワーク要素が以下のS510及びS511を実行するとき、ポリシー制御取得応答メッセージ及び登録応答メッセージは、第1の構成情報及び第2の構成情報のうちの少なくとも1つを運び得る。加えて、S510を実行した後、PCFネットワーク要素は、UEの位置の変更又はUEのサブスクリプション情報の変更などのケースを判定するときに、図4から図6を代替的に実行し得る。これは、本出願では限定されない。
【０１５５】
S510：PCFネットワーク要素は、ポリシー制御取得応答メッセージを新しいAMFネットワーク要素に送信する。
【０１５６】
S511：新しいAMFネットワーク要素は、登録応答メッセージをUEに送信する。
【０１５７】
図7に示される登録手順は、図3に示される技術的解決策の適用シナリオを説明するために、図3に示される技術的解決策に関連するいくつかのステップを示すに過ぎないことに留意されたい。実際の実装形態では、登録手順は、AUSFネットワーク要素選択手順、認証手順などをさらに含み得る。これらの関連手順は、従来技術で詳細に説明されており、詳細はここでは説明されない。
【０１５８】
第1のネットワーク要素がUDRネットワーク要素であることが例として用いられる。図8は、図3に示される技術的解決策が適用されるAMFネットワーク要素切り替え手順の概略図である。具体的には、次の手順が含まれる。
【０１５９】
S601：UEのためにAMFネットワーク要素切り替えが実行される必要があると判定すると、（R）ANは、UEに現在サービスを提供しているAMFネットワーク要素（すなわち、ソースAMFネットワーク要素）に切り替え要求メッセージを送信する。切り替え要求メッセージは、UEの識別情報を運ぶことができ、AMFネットワーク要素を切り替えることを要求するために使用される。
【０１６０】
S602：切り替え要求メッセージを受信した後、ソースAMFネットワーク要素は、ターゲットAMFネットワーク要素を選択するために、AMFネットワーク要素選択手順を実行する。
【０１６１】
S603：ソースAMFネットワーク要素は、UEのコンテキスト情報をターゲットAMFネットワーク要素に送信する。
【０１６２】
S604：UEのコンテキスト情報を受信した後、ターゲットAMFネットワーク要素は、ターゲットPCFネットワーク要素を選択するために、PCFネットワーク要素選択手順を実行する。ソースPCFネットワーク要素とターゲットPCFネットワーク要素とは、同じであってもよいし、異なってもよい。ソースPCFネットワーク要素とターゲットPCFネットワーク要素とが異なる場合、S605が実行される。
【０１６３】
S605：ターゲットAMFネットワーク要素は、ポリシー制御取得要求メッセージをターゲットPCFネットワーク要素に送信する。ポリシー制御取得要求メッセージは、UEにポリシーを配信するように要求するために使用される。
【０１６４】
S606：ターゲットPCFネットワーク要素は、第1の要求メッセージをUDRネットワーク要素に送信する。第1の要求メッセージは、UEのポリシー情報を要求するために使用される。
【０１６５】
S607：UDRネットワーク要素は、第1の応答メッセージをターゲットPCFネットワーク要素に送信する。第1の応答メッセージは、UEのポリシー情報を運び、UEのポリシー情報は、UEのポリシーを示すために使用される。
【０１６６】
S608：PCFネットワーク要素は、ポリシー制御取得応答メッセージをターゲットAMFネットワーク要素に送信する。
【０１６７】
例えば、ポリシー制御取得応答メッセージは、1つ又は複数の第1のポリシーを運び得る。第1のポリシーの説明については、上述の説明を参照されたい。当然のことながら、ポリシー制御取得応答メッセージは、代替的にポリシーを運ばない場合もある。代わりに、AMFネットワーク要素切り替え手順が終了した後、PCFネットワーク要素は、UEの位置の変更又はUEのサブスクリプション情報の変更などのケースを判定するときに、図4から図6を実行する。これは、本出願では限定されない。
【０１６８】
S609：切り替え手順における他のステップを実行する。
【０１６９】
図8に示されるAMFネットワーク要素切り替え手順は、図3に示される技術的解決策の適用シナリオを説明するために、図3に示される技術的解決策に関連するいくつかのステップを示すに過ぎないことに留意されたい。実際の実装形態では、AMFネットワーク要素切り替え手順は、他のステップをさらに含み得る。これらのステップは、従来技術で詳細に説明されており、詳細はここでは説明されない。
【０１７０】
第1のネットワーク要素がAMFネットワーク要素であることが例として用いられる。図9は、図3に示される技術的解決策が適用される登録手順の概略図である。具体的には、次の手順が含まれる。
【０１７１】
S701からS703：上述のS501からS503を参照されたい。当然のことながら、本出願はそれに限定されない。
【０１７２】
S503における説明を参照すると、新しいAMFネットワーク要素及び古いAMFネットワーク要素が同じネットワーク要素である場合、又はUEが古いAMFネットワーク要素に以前にアクセスしていない場合、S706及びS708からS710は、S703が実行された後に直接実行され得ることに留意されたい。当然のことながら、本出願はそれに限定されない。加えて、UEが登録されているか否かに関係なく、AMFネットワーク要素は、UEのポリシー情報を格納し得ることに留意されたい。
【０１７３】
S704：新しいAMFネットワーク要素は、コンテキスト転送要求メッセージを古いAMFネットワーク要素に送信する。コンテキスト転送要求メッセージは、UEの識別情報を運び、UEのコンテキスト情報を要求するために使用される。コンテキスト転送要求メッセージは、UEのポリシー情報を要求するためにさらに使用され得る。
【０１７４】
S705：古いAMFネットワーク要素は、コンテキスト転送応答メッセージを新しいAMFネットワーク要素に送信する。コンテキスト転送応答メッセージは、UEのコンテキスト情報及びUEのポリシー情報を運び、UEのポリシー情報は、UEのポリシーを示すために使用される。
【０１７５】
S706：新しいAMFネットワーク要素は、UEの現在の登録プロセスにおいてUEにサービスを提供するPCFネットワーク要素を判定するために、PCFネットワーク要素選択手順を実行する。
【０１７６】
S707：新しいAMFネットワーク要素は、UEのポリシー情報をPCFネットワーク要素に送信する。
【０１７７】
S707が実行された後、本方法は、PCFネットワーク要素によって、UEのポリシー情報を格納するステップをさらに含み得る。その後、PCFネットワーク要素がUEのポリシー情報をどのように使用するかについては、図4から図6を参照されたい。一例では、PCFネットワーク要素が以下のS709及びS710を実行するとき、ポリシー制御取得応答メッセージ及び登録応答メッセージは、第1の構成情報及び第2の構成情報のうちの少なくとも1つを運び得る。加えて、S510を実行した後、PCFネットワーク要素は、UEの位置の変更又はUEのサブスクリプション情報の変更などのケースを判定するときに、図4から図6を代替的に実行し得る。これは、本出願では限定されない。
【０１７８】
S708：新しいAMFネットワーク要素は、ポリシー制御取得要求メッセージをPCFネットワーク要素に送信する。ポリシー制御取得要求メッセージは、UEにポリシーを配信するように要求するために使用される。
【０１７９】
可能な実装形態では、S707におけるUEのポリシー情報は、新しいAMFネットワーク要素によってPCFネットワーク要素に送信されるべく、S708におけるポリシー制御取得要求メッセージにおいて運ばれ得る。別の可能な実装形態では、S707におけるUEのポリシー情報及びS708における制御ポリシー取得要求は、2つの独立に設計されたメッセージである。この場合、本出願は、S707及びS708を実行するシーケンスに限定を課さない。
【０１８０】
S709：PCFネットワーク要素は、ポリシー制御取得応答メッセージを新しいAMFネットワーク要素に送信する。
【０１８１】
S710：新しいAMFネットワーク要素は、登録応答メッセージをUEに送信する。
【０１８２】
図9に示される登録手順は、図3に示される技術的解決策の適用シナリオを説明するために、図3に示される技術的解決策に関連するいくつかのステップを示すに過ぎないことに留意されたい。実際の実装形態では、登録手順は、AUSFネットワーク要素選択手順、認証手順などをさらに含み得る。これらの関連手順は、従来技術で詳細に説明されており、詳細はここでは説明されない。
【０１８３】
第1のネットワーク要素がAMFネットワーク要素であることが例として用いられる。図10は、図3に示される技術的解決策が適用されるAMFネットワーク要素切り替え手順の概略図である。具体的には、次の手順が含まれる。
【０１８４】
S801及びS802：上述のS601及びS602を参照されたい。当然のことながら、本出願はそれに限定されない。
【０１８５】
S803：ソースAMFネットワーク要素は、UEのコンテキスト情報及びUEのポリシー情報をターゲットAMFネットワーク要素に送信する。UEのポリシー情報は、UEのポリシーを示すために使用される。UEのコンテキスト情報及びUEのポリシー情報は、同じメッセージで運ばれてもよいし、異なるメッセージで運ばれてもよい。
【０１８６】
S804：UEのコンテキスト情報及びUEのポリシー情報を受信した後、ターゲットAMFネットワーク要素は、ターゲットPCFネットワーク要素を選択するために、PCFネットワーク要素選択手順を実行する。
【０１８７】
ソースPCFネットワーク要素とターゲットPCFネットワーク要素とは、同じであってもよいし、異なってもよい。ソースPCFネットワーク要素とターゲットPCFネットワーク要素とが異なる場合、S805が実行される。
【０１８８】
S805：ターゲットAMFネットワーク要素は、UEのポリシー情報をターゲットPCFネットワーク要素に送信する。
【０１８９】
S806：ターゲットAMFネットワーク要素は、ポリシー制御取得要求メッセージをターゲットPCFネットワーク要素に送信する。ポリシー制御取得要求メッセージは、ポリシーをUEに配信するようにネットワーク側に要求するために使用される。
【０１９０】
可能な実装形態では、S805におけるUEのポリシー情報は、ターゲットAMFネットワーク要素によってターゲットPCFネットワーク要素に送信されるべく、S806におけるポリシー制御取得要求メッセージにおいて運ばれ得る。別の可能な実装形態では、S805におけるUEのポリシー情報及びS806における制御ポリシー取得要求は、2つの独立に設計されたメッセージである。この場合、本出願は、S805及びS806を実行するシーケンスに限定を課さない。
【０１９１】
S807：ターゲットPCFネットワーク要素は、ポリシー制御取得応答メッセージをターゲットAMFネットワーク要素に送信する。
【０１９２】
S808：切り替え手順における他のステップを実行する。
【０１９３】
図10に示されるAMFネットワーク要素切り替え手順は、図3に示される技術的解決策の適用シナリオを説明するために、図3に示される技術的解決策に関連するいくつかのステップを示すに過ぎないことに留意されたい。実際の実装形態では、AMFネットワーク要素切り替え手順は、他のステップをさらに含み得る。これらのステップは、従来技術で詳細に説明されており、詳細はここでは説明されない。
【０１９４】
本出願のいくつかの実施形態では、UEに格納され、UEのためにネットワーク側によって構成されるポリシーが失われる場合がある、例えば、UEの加入者識別モジュール（subscriber identity module、SIM）カードの交換前に受信されたポリシーがSIMカードの交換により失われる場合があることを考慮して、本出願は図11に示される技術的解決策を提供する。本技術的解決策は、上に提供された実施形態のいずれか1つに適用され得る。図11に示されるように、本技術的解決策は、具体的には、以下のステップを含み得る。
【０１９５】
S901：UEは、ポリシー格納ステータス情報をPCFネットワーク要素に送信し、UEは、ポリシー格納ステータス情報を受信する。ポリシー格納ステータス情報は、UEがPCFポリシーを格納しているか否かを示すために使用される。PCFポリシーは、上述のように、UEのポリシー情報に示されるポリシーであり得る。UEのポリシー情報の関連説明については、上述の説明を参照されたい。
【０１９６】
本実施形態は、S901のトリガー条件に限定を課さない。例えば、可能な実装形態では、ポリシーステータス情報は、登録要求メッセージで運ばれ得る。別の実装形態では、UEは、PCFネットワーク要素によって送信された構成情報を受信した後に、ポリシー格納ステータス情報をPCFネットワーク要素に送信し得る。UEがPCFネットワーク要素によって送信された構成情報を受信することは、図4から図6における上述の方法のいずれか1つを含むがそれに限定されないものとして反映され得る。
【０１９７】
S902：ポリシー格納ステータス情報が、UEがPCFポリシーを格納していないことを示す場合、PCFネットワーク要素は、PCFポリシーをUEに送信し、UEは、PCFポリシーを受信する。
【０１９８】
S902が実行される前にPCFネットワーク要素がPCFポリシー以外のポリシーをUEに送信する場合、S902では、PCFネットワーク要素は、S101においてUEのポリシー情報に示されたポリシーのみをUEに送信する必要がある。UEのポリシー情報に示されるポリシーは、一度に送信されてもよいし、何度も送信されてもよい。
【０１９９】
PCFネットワーク要素が、S902が実行される前にPCFポリシー以外のポリシーをUEに送信しない場合、S902では、PCFネットワーク要素は、UEのためにネットワーク側によって構成される必要があるすべてのポリシーをUEに送信し得る。すべてのポリシーは、一度に送信されてもよいし、何度も送信されてもよい。
【０２００】
PCFネットワーク要素によってUEに送信された任意のポリシーは、PCFネットワーク要素によってUDRネットワーク要素から取得され得ることに留意されたい。特定の取得プロセスは、従来技術で詳細に説明されており、詳細はここでは説明されない。
【０２０１】
ポリシー格納ステータス情報が登録要求メッセージで運ばれることが例として使用される。図12は、図11に示される技術的解決策が適用される登録手順の概略図である。具体的には、次の手順が含まれる。
【０２０２】
S1001：UEは登録要求メッセージを（R）ANに送信する。登録要求メッセージは、ポリシー格納ステータス情報を運ぶ。ポリシー格納ステータス情報は、UEがPCFポリシーを格納しているか否かを示すために使用される。
【０２０３】
可能な実装形態では、ポリシー格納ステータス情報は、UEがPCFポリシーを格納していないことを示すために使用される。この場合、UEがPCFポリシーを格納していない場合、UEは、ポリシーステータス情報を登録要求メッセージに追加し得る。別の可能な実装形態では、ポリシー格納ステータス情報は、UEがPCFポリシーを格納していることを示すために使用される。この場合、UEがPCFポリシーを格納している場合、UEは、ポリシーステータス情報を登録要求メッセージに追加し得る。別の可能な実装形態では、ポリシー格納ステータス情報は、UEがPCFポリシーを格納していることを示す、又はUEがPCFポリシーを格納していないことを示すために異なる情報を運び得る。例えば、UEがPCFポリシーを格納していることは、限定されないが、2進数「1」を運ぶことによって示され得、UEがPCFポリシーを格納していないことは、限定されないが、2進数「0」を運ぶことによって示され得る。当然のことながら、本出願はそれに限定されない。
【０２０４】
S1002：（R）ANは、新しいAMFネットワーク要素を判定するために、AMFネットワーク要素選択手順を実行する。
【０２０５】
S1003：（R）ANは、登録要求メッセージを新しいAMFネットワーク要素に送信する。登録要求メッセージは、ポリシー格納ステータス情報を運ぶ。
【０２０６】
S1004：詳細については、S504からS509、又はS704からS708を参照されたい。このプロセスでは、新しいAMFネットワーク要素がポリシー制御取得要求メッセージをPCFネットワーク要素に送信し、ポリシー制御取得要求メッセージはポリシー格納ステータス情報を運び、加えて、PCFネットワーク要素は、UEのポリシー情報を取得し、UEのポリシー情報は、UEのポリシーを示すために使用される。
【０２０７】
S1005：UEがPCFポリシーを格納していないことをポリシーステータス情報が示す場合、PCFネットワーク要素は、UEにその後に送信される必要があるポリシーは、UEのために構成される必要があるすべてのポリシーであると判定する。すべてのポリシーは、一度に送信されてもよいし、何度も送信されてもよい。UEがPCFポリシーを格納していることをポリシーステータス情報が示す場合、PCFネットワーク要素は、UEにその後に送信される必要があるポリシーが、UEのために構成される必要があるすべてのポリシーのうち、S101においてUEのポリシー情報に示されるポリシー以外のポリシーであると判定する。PCFネットワーク要素が、UEのために、UEに送信される必要があるポリシーを構成する手順については、図4を参照されたく、詳細は、ここでは説明されない。加えて、ポリシーステータス情報が、UEがPCFポリシーを格納していることを示している場合、PCFネットワーク要素は、図5及び図6のいずれかに記載されている技術解決策に基づいて、構成情報をUEにさらに送信し得る。
【０２０８】
例えば、表1に基づいて、UEがUE2であると仮定すると、S1004を実行するプロセスにおいて判定されたPCFポリシーは、ポリシー1及びポリシー2である。S1005において、ポリシーステータス情報が、UEがPCFポリシーを格納していないことを示す場合、PCFネットワーク要素によって判定され、UEにその後に送信される必要があるポリシーは、ポリシー1から4である。ポリシーステータス情報が、UEがPCFポリシーを格納していることを示す場合、PCFネットワーク要素によって判定され、UEにその後に送信される必要があるポリシーは、ポリシー3及び4である。加えて、構成情報は、図5及び図6に示される技術的解決策に基づいてUEに送信され得る。
【０２０９】
S1006：PCFネットワーク要素は、ポリシー制御取得応答メッセージを新しいAMFネットワーク要素に送信する。
【０２１０】
S1007：新しいAMFネットワーク要素は、登録応答メッセージをUEに送信する。
【０２１１】
可能な実装形態では、S1006におけるポリシー制御取得応答メッセージ及びS1007における登録応答メッセージは、PCFネットワーク要素によって判定され、UEにその後に送信される必要があるポリシーの一部又は全部を運ぶ。当然のことながら、本出願はそれに限定されない。
【０２１２】
図12に示される登録手順は、図11に示される技術的解決策の適用シナリオを説明するために、図11に示される技術的解決策に関連するいくつかのステップを示すに過ぎないことに留意されたい。実際の実装形態では、登録手順は他のステップをさらに含み得る。これらのステップは、従来技術で詳細に説明されており、詳細はここでは説明されない。
【０２１３】
図13は、本出願の一実施形態による、PCFネットワーク要素を判定するための方法を示している。本方法は、図1に示される通信システムに適用され得る。本方法は、以下のステップを含み得る。
【０２１４】
S1101：第1のAMFネットワーク要素がクエリ要求メッセージをUDMネットワーク要素に送信し、UDMネットワーク要素がクエリ要求メッセージを受信する。クエリ要求メッセージは、UEのために第2のAMFネットワーク要素によって選択されたPCFネットワーク要素（以下、第1のPCFネットワーク要素と呼ばれる）の識別情報を照会するために使用される。クエリ要求メッセージは、UEの識別情報を運び得る。
【０２１５】
第1のAMFネットワーク要素は、UEに現在サービスを提供しているAMFネットワーク要素であり得る。通常、PCFネットワーク要素選択手順が実行される必要があると判定すると、第1のAMFネットワーク要素はS1102を実行し得る。
【０２１６】
第2のAMFネットワーク要素及び第1のAMFネットワーク要素は、同じネットワーク要素であってもよいし、異なるネットワーク要素であってもよい。
【０２１７】
第2のAMFネットワーク要素と第1のAMFネットワーク要素とが異なるネットワーク要素である場合、一実装形態では、第1のAMFネットワーク要素がUEに現在サービスを提供しているAMFネットワーク要素であり、第2のAMFネットワーク要素がUEによって以前にアクセスされたAMFネットワーク要素であり得る。例えば、第1のAMFネットワーク要素は、上述の新しいAMFネットワーク要素であり、第2のAMFネットワーク要素は、上述の古いAMFネットワーク要素である。別の実装形態では、第1のAMFネットワーク要素は、上述のターゲットAMFネットワーク要素であり得、第2のAMFネットワーク要素は、上述のソースAMFネットワーク要素である。別の実装形態では、第1のAMFネットワーク要素及び第2のAMFネットワーク要素は両方とも、UEにサービスを提供するAMFネットワーク要素であり、例えば、両方がローミングシナリオにおいてUEにサービスを提供する2つのAMFネットワーク要素であり得る。
【０２１８】
第2のAMFネットワーク要素及び第1のAMFネットワーク要素が同じネットワーク要素である場合、適用シナリオは次のようになり得る、すなわち、第1のAMFネットワーク要素は、UEの電源が入っているときに、UEのために（R）ANによって選択されたAMFネットワーク要素であり得、第2のAMFネットワーク要素は、UEの電源が切られる前に、UEのために（R）ANによって選択されたAMFネットワーク要素であり得る。通常、選択された2つのAMFネットワーク要素は同じである。UEは電源が切られた後、格納されたポリシーを削除しないため、PCFによって以前に配信されたポリシーがまだ存在している。したがって、UEの電源が再び入れられた後、同じPCFネットワーク要素がUEのために選択されると、PCFネットワーク要素は、UEに配信されたポリシーを維持し続けることができる。
【０２１９】
S1102：UDMネットワーク要素は、クエリ要求メッセージに基づいて、第1のPCFネットワーク要素の識別情報を第1のAMFネットワーク要素に送信し、第1のAMFネットワーク要素は、第1のPCFネットワーク要素の識別情報を受信する。
【０２２０】
実装形態1：UDMネットワーク要素は、UEのためにAMFネットワーク要素によって選択されたPCFネットワーク要素の識別情報を格納する。UDMネットワーク要素に格納された、これらのPCFネットワーク要素の識別情報は、AMFネットワーク要素がPCFネットワーク要素選択手順を実行した後に、UDMネットワーク要素に報告され得る。この実装形態では、クエリ要求メッセージを受信した後、UDMネットワーク要素は、第1のPCFネットワーク要素の識別情報を判定するために、UDMネットワーク要素に格納された、UEのためにAMFネットワーク要素によって選択されたPCFネットワーク要素の識別情報を照会し得る。
【０２２１】
実装形態2：クエリ要求メッセージを受信した後、UDMネットワーク要素は、第2のAMFネットワーク要素から第1のPCFネットワーク要素の識別情報を照会し得る。（R）ANがAMFネットワーク要素選択手順を実行した後、選択されたAMFネットワーク要素がUDMネットワーク要素に登録されるため、UDMネットワーク要素は、第2のAMFネットワーク要素の識別情報を取得し得、したがって、第2のAMFネットワーク要素から第1のPCFネットワーク要素の識別情報を照会し得ることが理解されよう。
【０２２２】
S1103：第1のPCFネットワーク要素の識別情報を受信した後、第1のAMFネットワーク要素は、第1のPCFネットワーク要素を、UEにサービスを提供するPCFネットワーク要素として選択する。
【０２２３】
本実施形態で提供される技術的解決策では、第1のAMFネットワーク要素は、PCFネットワーク要素を、UEのために第1のAMFネットワーク要素によって選択されたPCFネットワーク要素として使用するために、UDMネットワーク要素から、UEのために第2のAMFネットワーク要素によって選択されたPCFネットワーク要素の識別情報を照会する。これは、同じUEに連続して（又は両方が）サービスを提供する2つのAMFネットワーク要素が異なるPCFネットワーク要素を選択するため、又は1つのAMFネットワーク要素が異なる時点で異なるPCFネットワーク要素を選択するため、2つのPCFネットワーク要素がUEのために異なるポリシーを構成し、その結果、UEはどのポリシーが実行されるべきかを把握していないという問題を回避するのを助ける。
【０２２４】
場合により、S1103が実行された後、UEの位置の変更、UEのサブスクリプション情報の変更などにより、第1のAMFネットワーク要素は、UEのためにPCFネットワーク要素を再選択する必要があり得る。この場合、実装形態1に基づいて、本方法は以下のステップをさらに含み得る。
【０２２５】
S1104：第1のAMFネットワーク要素は、第2のPCFネットワーク要素を、UEにサービスを提供するPCFネットワーク要素として再選択する。
【０２２６】
S1105：第1のAMFネットワーク要素は、第2のPCFネットワーク要素の識別情報をUDMネットワーク要素に送信し、それにより、UDMネットワーク要素は、UEにサービスを提供するために第1のAMFネットワーク要素によって選択されたPCFネットワーク要素を更新する。
【０２２７】
S1106：UDMネットワーク要素は、UEにサービスを提供するために第1のAMFネットワーク要素によって選択されたPCFネットワーク要素を更新する。
【０２２８】
この任意の実施形態は、UEにその後にサービスを提供するAMFネットワーク要素が、UEにサービスを提供するPCFネットワーク要素の最新の識別情報をUDMネットワーク要素から取得するのを助け、それにより、同じUEに連続して（又はすべてが）サービスを提供する異なるAMFネットワーク要素が異なるPCFネットワーク要素を選択するため、又は1つのAMFネットワーク要素が異なる時点で異なるPCFネットワーク要素を選択するため、2つのPCFネットワーク要素がUEのために異なるポリシーを構成し、その結果、UEはどのポリシーが実行されるべきかを把握していないという問題を回避するのを助ける。
【０２２９】
上記は、方法の観点から、本出願の実施形態で提供される解決策を主に説明している。上述の機能を実施するために、機能を実施するための対応するハードウェア構造及び／又はソフトウェアモジュールが提供される。当業者であれば、本明細書で開示された各実施形態において説明した例と組み合わせて、ユニット及びアルゴリズムステップが、本出願におけるハードウェア又はハードウェアとコンピュータソフトウェアとの組み合わせによって実施され得ることを容易に承知するはずである。機能がハードウェアで行われるかコンピュータソフトウェアによって駆動されるハードウェアによって行われるかは、技術的解決策の具体的な応用形態及び設計制約によって決まる。当業者は、それぞれの具体的な応用形態に対して説明された機能を実施するために、異なる方法を使用することができるが、こうした実施が、本出願の範囲を超えるものであると見なされるべきではない。
【０２３０】
本出願の実施形態では、（PCFネットワーク要素、第1のネットワーク要素、UEなどを含む）UEのためにポリシーを構成するための装置、又は（UDRネットワーク要素、第1のAMFネットワーク要素などを含む）PCFネットワーク要素を判定するための装置は、上述の方法の例に基づいて機能モジュールに分割され得る。例えば、各機能モジュールは、対応する機能についての分割によって取得されてもよいし、2つ以上の機能が1つの処理モジュールに統合されてもよい。統合されたモジュールはハードウェアの形態で実施されてもよいし、ソフトウェア機能モジュールの形態で実施されてもよい。本出願の実施形態におけるモジュール分割は一例であり、論理的な機能分割に過ぎないことに留意されたい。実際の実装形態では、別の分割方式が用いられてもよい。
【０２３１】
図14は、本出願の一実施形態によるPCFネットワーク要素の概略構成図である。図14に示されるPCFネットワーク要素14は、上で提供されたUEのためにポリシーを構成するための任意の方法において、対応するPCFネットワーク要素によって実行されるステップを実行するように構成され得る。PCFネットワーク要素14は、受信ユニット1401と送信ユニット1402とを備え得る。受信ユニット1401は、第1のネットワーク要素によって送信されたUEのポリシー情報を受信し、UEのポリシー情報が、UEのポリシーを示すために使用される、ように構成される。送信ユニット1402は、UEのポリシー情報に少なくとも基づいて構成情報をUEに送信し、構成情報が、UEのポリシーを更新するようにUEに命令するために使用される、ように構成される。第1のネットワーク要素は、UDRネットワーク要素又はAMFネットワーク要素であり得る。UEのポリシー情報は、UEのURSP、ANDSP、及びWLANSPのうちの少なくとも1つを示すために使用される。ポリシー情報は、送信ステータス情報をさらに含むことができ、送信ステータス情報は、ポリシー情報に示されるポリシーがUEに送信されているか否かを示すために使用される。
【０２３２】
例えば、図3から図6のいずれか1つを参照すると、PCFネットワーク要素14は、図3から図6のいずれか1つにおけるPCFネットワーク要素であり得る。受信ユニット1401は、S101における受信するステップを実行するように構成され得る。送信ユニット1402は、S103における送信するステップを実行するように構成され得る。
【０２３３】
例えば、図7を参照すると、PCFネットワーク要素14は、図7におけるPCFネットワーク要素であり得、第1のネットワーク要素は、図7におけるUDRネットワーク要素であり得る。受信ユニット1401は、S509における受信するステップを実行するように構成され得る。送信ユニット1402は、S510における送信するステップを実行するように構成され得る。
【０２３４】
例えば、図8を参照すると、PCFネットワーク要素14は、図8におけるターゲットPCFネットワーク要素であり得、第1のネットワーク要素は、図8におけるUDRネットワーク要素であり得る。受信ユニット1401は、S607における受信するステップを実行するように構成され得る。送信ユニット1402は、S608における送信するステップを実行するように構成され得る。
【０２３５】
例えば、図9を参照すると、PCFネットワーク要素14は、図9におけるPCFネットワーク要素であり得、第1のネットワーク要素は、図9における新しいAMFネットワーク要素であり得る。受信ユニット1401は、S707における受信するステップを実行するように構成され得る。送信ユニット1402は、S709における送信するステップを実行するように構成され得る。
【０２３６】
例えば、図10を参照すると、PCFネットワーク要素14は、図10におけるターゲットPCFネットワーク要素であり得、第1のネットワーク要素は、図10におけるターゲットAMFネットワーク要素であり得る。受信ユニット1401は、S805における受信するステップを実行するように構成され得る。送信ユニット1402は、S807における送信するステップを実行するように構成され得る。
【０２３７】
場合により、構成情報が第1の構成情報を含む場合、送信ユニット1402は、第1の構成情報をUEに送信し、第1の構成情報が、UEの第1のポリシーを示すために使用され、UEのポリシー情報に示されるポリシーが、第1のポリシーを含まない、ように特に構成され得る。例えば、図4を参照すると、送信ユニット1402は、S201における送信するステップを実行するように構成され得る。
【０２３８】
場合により、構成情報が第2の構成情報を含む場合、送信ユニット1402は、第2の構成情報をUEに送信し、第2の構成情報が、第2のポリシーを削除するようにUEに命令するために使用され、UEのポリシー情報に示されるポリシーが、第2のポリシーを含む、ように特に構成され得る。例えば、図5を参照すると、送信ユニット1402は、S301における送信するステップを実行するように構成され得る。
【０２３９】
場合により、構成情報が第3の構成情報を含む場合、送信ユニット1402は、第3の構成情報をUEに送信し、第3の構成情報が、第3のポリシーを更新するようにUEに命令するために使用され、UEのポリシー情報に示されるポリシーが、第3のポリシーを含む、ように特に構成され得る。例えば、図6を参照すると、送信ユニット1402は、S401における送信するステップを実行するように構成され得る。
【０２４０】
場合により、送信ユニット1402は、更新命令情報を第1のネットワーク要素に送信し、更新命令情報が、構成情報及び構成情報識別子のうちの少なくとも1つを含み、構成情報識別子が構成情報を示すために使用される、ようにさらに構成され得る。例えば、図4を参照すると、更新命令情報は、図4における第1の更新命令情報であり得、構成情報は、図4における第1の構成情報であり得る。送信ユニット1402は、S203における送信するステップを実行するように構成され得る。例えば、図5を参照すると、更新命令情報は、図5における第2の更新命令情報であり得、構成情報は、図5における第2の構成情報であり得る。送信ユニット1402は、S303における送信するステップを実行するように構成され得る。
【０２４１】
場合により、受信ユニット1401は、UEによって送信されたポリシー格納ステータス情報を受信し、ポリシー格納ステータス情報は、UEがPCFポリシーを格納しているか否かを示すために使用される、ようにさらに構成され得る。この場合、送信ユニット1402は、UEがPCFポリシーを格納していないことをポリシーステータス情報が示す場合、PCFポリシーをUEに送信するようにさらに構成され得る。例えば、図11を参照すると、受信ユニット1401は、S901における受信するステップを実行するように構成され得る。送信ユニット1402は、S902における送信するステップを実行するように構成され得る。
【０２４２】
場合により、受信ユニット1401は、AMFネットワーク要素によって送信されたポリシー制御取得要求メッセージを受信し、ポリシー制御取得要求メッセージは、ポリシー格納ステータス情報を運び、AMFネットワーク要素は、UEによって送信された登録要求メッセージを受信した後、ポリシー制御取得要求メッセージをPCFネットワーク要素に送信する、ように特に構成され得る。
【０２４３】
本実施形態における関連内容の説明については、上述の方法実施形態を参照されたい。細部はここでは説明されない。一例では、図2の通信デバイスに関連して、受信ユニット1401及び送信ユニット1402は、図2の通信インターフェース404に対応し得る。
【０２４４】
図15は、本出願の一実施形態による第1のネットワーク要素の概略構成図である。図15に示される第1のネットワーク要素15は、上で提供されたUEのためにポリシーを構成するための任意の方法において、対応する第1のネットワーク要素によって実行されるステップを実行するように構成され得る。第1のネットワーク要素15は、送信ユニット1501を備え得る。送信ユニット1501は、UEのポリシー情報に基づいて構成情報をUEに送信するようにPCFネットワーク要素に命令するために、UEのポリシー情報をPCFネットワーク要素に送信し、UEのポリシー情報がUEのポリシーを示すために使用され、構成情報がUEのポリシーを更新するようにUEに命令するために使用される、ように構成される。第1のネットワーク要素15は、UDRネットワーク要素又はAMFネットワーク要素であり得る。UEのポリシー情報は、UEのURSP、ANDSP、及びWLANSPのうちの少なくとも1つを示すために使用される。
【０２４５】
例えば、図3から図6のいずれか1つを参照すると、第1のネットワーク要素15は、図3から図6のいずれか1つにおける第1のネットワーク要素であり得る。PCFネットワーク要素は、図3から図6のいずれか1つにおけるPCFネットワーク要素であり得る。送信ユニット1501は、S101における送信するステップを実行するように構成され得る。
【０２４６】
例えば、図7を参照すると、第1のネットワーク要素15は、図7におけるUDRネットワーク要素であり得、PCFネットワーク要素は、図7におけるPCFネットワーク要素であり得る。送信ユニット1501は、S509における送信するステップを実行するように構成され得る。
【０２４７】
例えば、図8を参照すると、第1のネットワーク要素15は、図8におけるUDRネットワーク要素であり得、PCFネットワーク要素は、図8におけるターゲットPCFネットワーク要素であり得る。送信ユニット1501は、S607における送信するステップを実行するように構成され得る。
【０２４８】
例えば、図9を参照すると、第1のネットワーク要素15は、図9における新しいAMFネットワーク要素であり得、PCFネットワーク要素は、図9におけるPCFネットワーク要素であり得る。送信ユニット1501は、S707における送信するステップを実行するように構成され得る。
【０２４９】
例えば、図10を参照すると、第1のネットワーク要素15は、図10における新しいAMFネットワーク要素であり得、PCFネットワーク要素は、図10におけるターゲットPCFネットワーク要素であり得る。送信ユニット1501は、S805における送信するステップを実行するように構成され得る。
【０２５０】
場合により、第1のネットワーク要素15は、受信ユニット1502と処理ユニット1503とをさらに備え得る。受信ユニット1502は、PCFネットワーク要素によって送信された更新命令情報を受信し、更新命令情報が、構成情報及び構成情報識別子のうちの少なくとも1つを含み、構成情報識別子が構成情報を示すために使用される、ように構成される。処理ユニット1503は、更新命令情報に基づいてUEのポリシー情報を更新するように構成される。例えば、図4を参照すると、更新命令情報は、図4における第1の更新命令情報であり得、構成情報は、図4における第1の構成情報であり得る。受信ユニット1502は、S203における受信するステップを実行するように構成され得る。処理ユニット1503は、S204を実行するように構成され得る。例えば、図5を参照すると、更新命令情報は、図5における第2の更新命令情報であり得、構成情報は、図5における第2の構成情報であり得る。受信ユニット1502は、S303における受信するステップを実行するように構成され得る。処理ユニット1503は、S304を実行するように構成され得る。
【０２５１】
場合により、第1のネットワーク要素15は、第1のAMFネットワーク要素である。受信ユニット1502は、第2のAMFネットワーク要素によって送信されるUEのポリシー情報を受信し、第2のAMFネットワーク要素が、UEが第1のAMFネットワーク要素に接続する前にUEが接続するAMFネットワーク要素である、ようにさらに構成される。例えば、図9を参照すると、第1のAMFネットワーク要素は、新しいAMFネットワーク要素であり得、第2のAMFネットワーク要素は、古いAMFネットワーク要素であり得る。受信ユニット1502は、S705における受信するステップを実行するように構成され得る。例えば、図10を参照すると、第1のAMFネットワーク要素は、ターゲットAMFネットワーク要素であり得、第2のAMFネットワーク要素は、ソースAMFネットワーク要素であり得る。受信ユニット1502は、S803における受信するステップを実行するように構成され得る。
【０２５２】
場合により、受信ユニット1502は、第2のAMFネットワーク要素によって送信された第1のメッセージを受信し、第1のメッセージは、UEのコンテキスト情報及びUEのポリシー情報を含む、ように特に構成され得る。例えば、図9を参照すると、第1のメッセージは、UEコンテキスト転送応答メッセージであり得る。例えば、図10を参照すると、S803においてUEのコンテキスト情報及びUEのポリシー情報が同じメッセージで運ばれる実装形態では、第1のメッセージがそのメッセージであり得る。
【０２５３】
本実施形態における関連内容の説明については、上述の方法実施形態を参照されたい。細部はここでは説明されない。一例では、図2の通信デバイスに関連して、送信ユニット1501及び受信ユニット1502は、図2における通信インターフェース404に対応し得、処理ユニット1503は、図2におけるプロセッサ401又はプロセッサ408に対応し得る。
【０２５４】
図16は、本出願の一実施形態による端末装置の概略構成図である。図16に示される端末装置16は、上で提供された端末装置のためにポリシーを構成するための任意の方法において、UEによって実行されるステップを実行するように構成され得る。加えて、端末装置16は、代替的にチップであり得る。端末装置16は、送信ユニット1601と受信ユニット1602とを備え得る。送信ユニット1601は、端末装置がPCFポリシーを格納していないことをポリシー格納ステータス情報が示す場合、PCFポリシーを端末装置に送信するようにPCFネットワーク要素に命令するために、ポリシー格納ステータス情報をPCFネットワーク要素に送信し、ポリシー格納ステータス情報は、端末装置がPCFポリシーを格納しているか否かを示すために使用される、ように構成される。受信ユニット1602は、PCFネットワーク要素によって送信されたPCFポリシーを受信するように構成される。例えば、図9を参照すると、送信ユニット1601は、S901における送信するステップを実行するように構成され得る。受信ユニット1602は、S902における受信するステップを実行するように構成され得る。
【０２５５】
場合により、送信ユニット1601は、登録要求メッセージをAMFネットワーク要素に送信し、登録要求メッセージがポリシー格納ステータス情報を運び、登録要求メッセージが、ポリシー制御取得要求メッセージをPCFネットワーク要素に送信するようにAMFネットワーク要素に命令するために使用され、ポリシー制御取得要求メッセージがポリシー格納ステータス情報を運ぶ、ように特に構成され得る。
【０２５６】
場合により、送信ユニット1601は、受信ユニット1602がPCFネットワーク要素によって送信された構成情報を受信した後、ポリシー格納ステータス情報をPCFネットワーク要素に送信し、構成情報が、端末装置のポリシー情報に少なくとも基づいてPCFネットワーク要素によって端末装置に送信された構成情報であり、構成情報が、端末装置のポリシーを更新するように端末装置に命令するために使用される、ように特に構成され得る。
【０２５７】
本実施形態における関連内容の説明については、上述の方法実施形態を参照されたい。細部はここでは説明されない。一例では、図2の通信デバイスに関連して、送信ユニット1601及び受信ユニット1602は、図2の通信インターフェース404に対応し得る。
【０２５８】
図17は、本出願の一実施形態によるUDMネットワーク要素の概略構成図である。図17に示されるUDMネットワーク要素17は、上で提供されたPCFネットワーク要素を判定するための任意の方法において、UDMネットワーク要素によって実行されるステップを実行するように構成され得る。UDMネットワーク要素17は、送信ユニット1701を備え得る。送信ユニット1701は、第1のPCFネットワーク要素を、UEにサービスを提供するPCFネットワーク要素として選択するように第1のAMFネットワーク要素に命令するために、第1のPCFネットワーク要素の識別情報を第1のAMFネットワーク要素に送信するように構成される。第1のPCFネットワーク要素は、UEにサービスを提供するために第2のAMFネットワーク要素によって選択されたAMFネットワーク要素である。場合により、第1のAMFネットワーク要素と第2のAMFネットワーク要素とは、同じネットワーク要素であってもよいし、異なるネットワーク要素であってもよい。例えば、図13を参照すると、送信ユニット1701は、S1102における送信するステップを実行するように構成され得る。
【０２５９】
可能な設計では、UDMネットワーク要素は、受信ユニット1702を備え得る。受信ユニット1702は、第1のAMFネットワーク要素によって送信されたクエリ要求メッセージを受信するように構成される。この場合、送信ユニット1701は、クエリ応答メッセージを第1のAMFネットワーク要素に送信し、クエリ応答メッセージは、第1のPCFネットワーク要素の識別情報を運ぶ、ように特に構成され得る。例えば、図13を参照すると、受信ユニット1702は、S1101における受信するステップを実行するように構成され得る。
【０２６０】
可能な設計では、送信ユニット1701は、受信ユニット1702がクエリ要求メッセージを受信した後、第1のPCFネットワーク要素の識別情報を照会するために、クエリ要求メッセージを第2のAMFネットワーク要素に送信するようにさらに構成され得る。この場合、受信ユニット1702は、第2のAMFネットワーク要素によって送信された第1のPCFネットワーク要素の識別情報を受信するようにさらに構成され得る。
【０２６１】
可能な設計では、UDMネットワーク要素は、UEにサービスを提供するためにAMFネットワーク要素によって選択されたPCFネットワーク要素の識別情報を格納し得る。AMFネットワーク要素は、PCFネットワーク要素選択手順を実行した後、選択されたPCFネットワーク要素をUDMに報告し得る。この場合、クエリ要求メッセージを受信した後、UDMネットワーク要素は、第1のPCFネットワーク要素の識別子を第1のAMFネットワーク要素に送信するために、ローカルに格納された情報を照会し得る。これに基づいて、場合により、受信ユニット1702は、第2のPCFネットワーク要素の識別情報を受信し、第2のPCFネットワーク要素が、UEにサービスを提供するために第1のAMFネットワーク要素によって再選択されたPCFネットワーク要素である、ようにさらに構成され得る。UDMネットワーク要素17は、UEにサービスを提供するために第1のAMFネットワーク要素によって選択されたPCFネットワーク要素の識別情報を、第1のPCFネットワーク要素の識別情報から第2のPCFネットワーク要素の識別情報に更新するように構成された処理ユニット1703をさらに備え得る。例えば、図13を参照すると、受信ユニット1702は、S1105における受信するステップを実行するように構成され得る。処理ユニット1703は、S1106を実行するように構成され得る。
【０２６２】
本実施形態における関連内容の説明については、上述の方法実施形態を参照されたい。細部はここでは説明されない。一例では、図2の通信デバイスに関連して、送信ユニット1701及び受信ユニット1702は、図2の通信インターフェース404に対応し得る。処理ユニット1703は、図2におけるプロセッサ401又はプロセッサ408に対応し得る。
【０２６３】
図18は、本出願の一実施形態によるAMFネットワーク要素の概略構成図である。図18に示されるAMFネットワーク要素18は、上で提供されたPCFネットワーク要素を判定するための任意の方法において、第1のAMFネットワーク要素によって実行されるステップを実行するように構成され得る。AMFネットワーク要素18は、受信ユニット1801と処理ユニット1802とを備え得る。受信ユニット1801は、UDMネットワーク要素によって送信される第1のPCFネットワーク要素の識別情報を受信し、第1のPCFネットワーク要素が、UEにサービスを提供するために第2のAMFネットワーク要素によって選択されたAMFネットワーク要素である、ように構成され得る。場合により、AMFネットワーク要素18と第2のAMFネットワーク要素とは、同じネットワーク要素であってもよいし、異なるネットワーク要素であってもよい。処理ユニット1802は、第1のPCFネットワーク要素を、UEにサービスを提供するPCFネットワーク要素として選択するように構成され得る。例えば、図13を参照すると、受信ユニット1801は、S1102における受信するステップを実行するように構成され得る。処理ユニット1802は、S1103を実行するように構成され得る。
【０２６４】
可能な設計では、AMFネットワーク要素18は、クエリ要求メッセージをUDMネットワーク要素に送信し、クエリ要求メッセージが、第1のPCFネットワーク要素の識別情報を要求するために使用される、ように構成された送信ユニット1803をさらに備え得る。この場合、受信ユニット1801は、UDMネットワーク要素によって送信されたクエリ応答メッセージを受信し、クエリ応答メッセージは、第1のPCFネットワーク要素の識別情報を運ぶ、ように特に構成され得る。例えば、図13を参照すると、送信ユニット1803は、S1101における送信するステップを実行するように構成され得る。
【０２６５】
可能な設計では、処理ユニット1802は、UEにサービスを提供するために第2のPCFネットワーク要素を再選択するようにさらに構成され得る。送信ユニット1803は、UEにサービスを提供するためにAMFネットワーク要素18によって選択されたPCFネットワーク要素を更新するようにUDMネットワーク要素に命令するために、第2のPCFネットワーク要素の識別情報をUDMネットワーク要素に送信するようにさらに構成され得る。例えば、図13を参照すると、処理ユニット1802は、S1104を実行するように構成され得る。送信ユニット1803は、S1105における送信するステップを実行するように構成され得る。
【０２６６】
本出願の実施形態で提供されるすべての装置（例えば、PCFネットワーク要素14、第1のネットワーク要素15、UE16、UDMネットワーク要素17、又はAMFネットワーク要素18）は、対応する方法を実行するように構成され得る。したがって、本装置によって達成され得る技術的効果については、上述の方法実施形態を参照されたい。本出願の本実施形態では、詳細はここでは説明されない。
【０２６７】
本出願の一実施形態は、UEのためにポリシーを構成するためのシステムをさらに提供する。本システムは、第1のネットワーク要素と、PCFネットワーク要素と、UEとを含み得る。第1のネットワーク要素は、UEのポリシー情報をPCFネットワーク要素に送信し、UEのポリシー情報がUEのポリシーを示すために使用される、ように構成される。PCFネットワーク要素は、UEのポリシー情報を受信し、UEのポリシー情報に少なくとも基づいて構成情報をUEに送信し、構成情報がUEのポリシーを更新するようにUEに命令するために使用される、ように構成される。UEは、構成情報を受信し、構成情報に基づいてUEのポリシーを更新する、ように構成される。
【０２６８】
可能な設計では、PCFネットワーク要素が、UEのポリシー情報に基づいて構成情報をUEに送信するように構成されることが、構成情報が第1の構成情報を含む場合、PCFネットワーク要素が、第1の構成情報をUEに送信し、第1の構成情報が、UEの第1のポリシーを示すために使用され、UEのポリシー情報に示されるポリシーが、第1のポリシーを含まない、ように構成されることを含み得る。
【０２６９】
可能な設計では、PCFネットワーク要素が、UEのポリシー情報に基づいて構成情報をUEに送信するように構成されることが、構成情報が第2の構成情報を含む場合、PCFネットワーク要素が、第2の構成情報をUEに送信し、第2の構成情報が、第2のポリシーを削除するようにUEに命令するために使用され、UEのポリシー情報に示されるポリシーが、第2のポリシーを含む、ように構成されることを含み得る。
【０２７０】
可能な設計では、PCFネットワーク要素が、UEのポリシー情報に基づいて構成情報をUEに送信するように構成されることが、構成情報が第3の構成情報を含む場合、PCFネットワーク要素が、第3の構成情報をUEに送信し、第3の構成情報が、第3のポリシーを更新するようにUEに命令するために使用され、UEのポリシー情報に示されるポリシーが、第3のポリシーを含む、ように構成されることを含み得る。
【０２７１】
可能な設計では、PCFネットワーク要素は、更新命令情報を第1のネットワーク要素に送信し、更新命令情報が、構成情報及び構成情報識別子のうちの少なくとも1つを含み、構成情報識別子が構成情報を示すために使用される、ようにさらに構成され得る。この場合、第1のネットワーク要素は、更新命令情報を受信し、更新命令情報に基づいてUEのポリシー情報を更新する、ようにさらに構成され得る。
【０２７２】
可能な設計では、UEは、ポリシー格納ステータス情報をPCFネットワーク要素に送信し、ポリシー格納ステータス情報は、UEがPCFポリシーを格納しているか否かを示すために使用される、ようにさらに構成され得る。PCFネットワーク要素は、ポリシー格納ステータス情報を受信し、UEがPCFポリシーを格納してないことをポリシーステータス情報が示す場合、PCFポリシーをUEに送信する、ようにさらに構成され得る。この場合、UEは、PCFポリシーを受信するようにさらに構成され得る。
【０２７３】
可能な設計では、UEがポリシー格納ステータス情報をPCFネットワーク要素に送信するようにさらに構成され得ることが次を特に含み得る、すなわち、UEは、登録要求メッセージをAMFネットワーク要素に送信し、登録要求メッセージがポリシー格納ステータス情報を運ぶ、ようにさらに構成され得、AMFネットワーク要素は、登録要求メッセージを受信し、ポリシー制御取得要求メッセージをPCFネットワーク要素に送信し、ポリシー制御取得要求メッセージがポリシー格納ステータス情報を運ぶ、ように構成される。
【０２７４】
可能な設計では、UEがポリシー格納ステータス情報をPCFネットワーク要素に送信するようにさらに構成され得ることは、UEは、PCFネットワーク要素によって送信された構成情報を受信した後に、ポリシー格納ステータス情報をPCFネットワーク要素に送信するようにさらに構成され得ることを含み得る。
【０２７５】
可能な設計では、第1のネットワーク要素が第1のAMFネットワーク要素であり、システムが第2のAMFネットワーク要素をさらに含み、第2のAMFネットワーク要素が、UEが第1のAMFネットワーク要素に接続する前にUEが接続するAMFネットワーク要素である。第2のAMFネットワーク要素は、UEのポリシー情報を第1のAMFネットワーク要素に送信するように構成される。この場合、第1のAMFネットワーク要素は、UEのポリシー情報を受信するようにさらに構成され得る。
【０２７６】
可能な設計では、第2のAMFネットワーク要素がUEのポリシー情報を第1のAMFネットワーク要素に送信するように構成されることは、第2のAMFネットワーク要素が、第1のメッセージを第1のAMFネットワーク要素に送信し、第1のメッセージがUEのコンテキスト情報及びUEのポリシー情報を含む、ように構成されることを含む。
【０２７７】
本出願の本実施形態において提供される、UEのためにポリシーを構成するためのシステムの関連する内容及び本システムによって実現され得る技術的効果の説明については、上述の方法実施形態を参照されたい。細部はここでは説明されない。
【０２７８】
本出願の一実施形態は、PCFネットワーク要素を判定するためのシステムをさらに提供する。本システムは、UDMネットワーク要素、第1のAMFネットワーク要素、及び第2のAMFネットワーク要素を含み得る。UDMネットワーク要素は、第1のPCFネットワーク要素の識別情報を第1のAMFネットワーク要素に送信するように構成される。第1のAMFネットワーク要素は、UDMネットワーク要素によって送信される第1のPCFネットワーク要素の識別情報を受信し、第1のPCFネットワーク要素を、UEにサービスを提供するPCFネットワーク要素として選択する、ように構成される。第1のPCFネットワーク要素は、UEにサービスを提供するために第2のAMFネットワーク要素によって選択されたAMFネットワーク要素である。場合により、第1のAMFネットワーク要素と第2のAMFネットワーク要素とは、同じネットワーク要素であってもよいし、異なるネットワーク要素であってもよい。
【０２７９】
可能な設計では、第1のAMFネットワーク要素は、クエリ要求メッセージをUDMネットワーク要素に送信し、クエリ要求メッセージが、第1のPCFネットワーク要素の識別情報を要求するために使用される、ようにさらに構成され得る。この場合、UDMネットワーク要素が第1のPCFネットワーク要素の識別情報を第1のAMFネットワーク要素に送信するように構成されることは、UDMネットワーク要素が、クエリ応答メッセージを第1のAMFネットワーク要素に送信し、クエリ応答メッセージが、第1のPCFネットワーク要素の識別情報を運ぶ、ように構成されることを特に含み得る。
【０２８０】
可能な設計では、クエリ要求メッセージを受信した後、UDMネットワーク要素が、第1のPCFネットワーク要素の識別情報を照会するために、クエリ要求メッセージを第2のAMFネットワーク要素に送信する。UDMネットワーク要素は、第2のAMFネットワーク要素によって送信された第1のPCFネットワーク要素の識別情報を受信する。
【０２８１】
可能な設計では、UDMネットワーク要素は、UEにサービスを提供するためにAMFネットワーク要素によって選択されたPCFネットワーク要素の識別情報を格納し得る。AMFネットワーク要素は、PCFネットワーク要素選択手順を実行した後、選択されたPCFネットワーク要素をUDMに報告し得る。この場合、クエリ要求メッセージを受信した後、UDMネットワーク要素は、第1のPCFネットワーク要素の識別子を第1のAMFネットワーク要素に送信するために、ローカルに格納された情報を照会し得る。これに基づいて、場合により、第1のAMFネットワーク要素は、UEにサービスを提供するために第2のPCFネットワーク要素を再選択し、第2のPCFネットワーク要素の識別情報をUDMネットワーク要素に送信する、ようにさらに構成され得る。この場合、UDMネットワーク要素は、第2のPCFネットワーク要素の識別情報を受信し、UEにサービスを提供するために第1のAMFネットワーク要素によって選択されたPCFネットワーク要素の識別情報を、第1のPCFネットワーク要素の識別情報から第2のPCFネットワーク要素の識別情報に更新する、ようにさらに構成され得る。
【０２８２】
本出願の本実施形態において提供される、PCFネットワーク要素を判定するためのシステムの関連する内容及び本システムによって実現され得る技術的効果の説明については、上述の方法実施形態を参照されたい。細部はここでは説明されない。
【０２８３】
上記の実施形態のすべて又は一部は、ソフトウェア、ハードウェア、ファームウェア、又はそれらの任意の組み合わせによって実施されてもよい。ソフトウェアプログラムが実施形態を実施するために使用される場合、実施形態のすべて又は一部は、コンピュータプログラム製品の形態で実施されてもよい。コンピュータプログラム製品は、1つ又は複数のコンピュータ命令を含む。コンピュータ実行可能命令がコンピュータにロードされて実行されると、本出願の実施形態による手順又は機能のすべて又は一部が生成される。コンピュータは、汎用コンピュータ、専用コンピュータ、コンピュータネットワーク、又は他のプログラマブル装置であってもよい。コンピュータ命令は、コンピュータ可読記憶媒体に格納されてもよいし、コンピュータ可読記憶媒体から別のコンピュータ可読記憶媒体に送信されてもよい。例えば、コンピュータ命令は、ウェブサイト、コンピュータ、サーバ、又はデータセンタから別のウェブサイト、コンピュータ、サーバ、又はデータセンタに、有線（例えば、同軸ケーブル、光ファイバ、又はデジタル加入者回線（digital subscriber line、DSL））又は無線（例えば、赤外線、電波、又はマイクロ波）方式で送信され得る。コンピュータ可読記憶媒体は、コンピュータによってアクセス可能な任意の使用可能な媒体であってもよく、又は1つ又は複数の使用可能な媒体を一体化するサーバ又はデータセンタなどのデータ記憶デバイスであってもよい。使用可能な媒体は、磁気媒体（例えば、フロッピーディスク、ハードディスク、又は磁気テープ）、光学媒体（例えば、DVD）、半導体媒体（例えば、ソリッドステートディスク（solid state disk、SSD））などであってもよい。
【０２８４】
本出願を実施形態に関連して説明したが、保護を請求する本出願を実施する過程において、当業者であれば、添付の図面、開示内容、及び添付の特許請求の範囲を検討することにより本開示の実施形態の別の変形を理解し実施することができる。特許請求の範囲において、「含む」（comprising）は別の構成要素又は別のステップを排除せず、「a」又は「one」は「複数」の場合を排除しない。単一のプロセッサ又は別のユニットが、特許請求の範囲に列挙されたいくつかの機能を実装することができる。一部の手段が互いに異なる従属請求項に記録されているが、このことは、より良い効果を生み出すためにこれらの手段を組み合わせることができないことを意味しない。
【０２８５】
本出願は、特定の特徴及びその実施形態に関連して説明されているが、当然のことながら、本出願の趣旨及び範囲から逸脱することなく、様々な修正及び組み合わせを行うことができる。それに対応して、本明細書及び添付の図面は、添付の特許請求の範囲によって定義される本出願の例示的な説明に過ぎず、本出願の範囲を包含するいずれかの又はすべての修正、変形、組み合わせ、又は均等物と見なされる。当然のことながら、当業者であれば、本出願の趣旨及び範囲から逸脱することなしに、本出願に対して様々な修正及び変形をなし得る。本出願は、以下の特許請求の範囲及びそれらの均等技術によって定義される保護範囲内に含まれる場合に限り、本出願のこれらの修正及び変形を包含するように意図されている。
【符号の説明】
【０２８６】
14  PCFネットワーク要素
15  第1のネットワーク要素
16  端末装置
17  UDMネットワーク要素
18  AMFネットワーク要素
30  コアネットワーク
301  AMFネットワーク要素
302  PCFネットワーク要素
303  UDRネットワーク要素
304  UDMネットワーク要素
400  通信デバイス
401  プロセッサ
402  通信回線
403  メモリ
404  通信インターフェース
405  出力デバイス
406  入力デバイス
408  プロセッサ
1401  受信ユニット
1402  送信ユニット
1501  送信ユニット
1502  受信ユニット
1503  処理ユニット
1601  送信ユニット
1602  受信ユニット
1701  送信ユニット
1702  受信ユニット
1703  処理ユニット
1801  受信ユニット
1802  処理ユニット
1803  送信ユニット
【図１】
2021510997.tif 000009
【図２】
2021510997.tif 000010
【図３】
2021510997.tif 000011
【図４】
2021510997.tif 000012
【図５】
2021510997.tif 000013
【図６】
2021510997.tif 000014
【図７】
2021510997.tif 000015
【図８】
2021510997.tif 000016
【図９】
2021510997.tif 000017
【図１０】
2021510997.tif 000018
【図１１】
2021510997.tif 000019
【図１２】
2021510997.tif 000020
【図１３】
2021510997.tif 000021
【図１４】
2021510997.tif 000022
【図１５】
2021510997.tif 000023
【図１６】
2021510997.tif 000024
【図１７】
2021510997.tif 000025
【図１８】
2021510997.tif 000026
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
ユーザ機器UEのためにポリシーを構成するための方法であって、前記方法が、
ポリシー制御機能ネットワーク要素によって、第1のネットワーク要素によって送信された前記UEのポリシー情報を受信するステップであって、前記ポリシー情報が、前記UEのために現在構成されているポリシーを示すために使用される、ステップと、
前記ポリシー制御機能ネットワーク要素によって、前記UEの前記ポリシー情報に少なくとも基づいて構成情報を前記UEに送信するステップであって、前記構成情報が、前記UEの前記ポリシーを更新するように前記UEに命令するために使用される、ステップと
を含む、方法。
【請求項２】
前記ポリシー制御機能ネットワーク要素によって、前記UEの前記ポリシー情報に少なくとも基づいて構成情報を前記UEに送信する前記ステップが、
前記構成情報が第1の構成情報を含む場合、前記ポリシー制御機能ネットワーク要素によって、前記第1の構成情報を前記UEに送信するステップであって、前記第1の構成情報が、前記UEの第1のポリシーを示すために使用され、前記ポリシー情報に示される前記ポリシーが、前記第1のポリシーを含まない、ステップと、
前記構成情報が第2の構成情報を含む場合、前記ポリシー制御機能ネットワーク要素によって、前記第2の構成情報を前記UEに送信するステップであって、前記第2の構成情報が、第2のポリシーを削除するように前記UEに命令するために使用され、前記ポリシー情報に示される前記ポリシーが、前記第2のポリシーを含む、ステップと、
前記構成情報が第3の構成情報を含む場合、前記ポリシー制御機能ネットワーク要素によって、前記第3の構成情報を前記UEに送信するステップであって、前記第3の構成情報が、第3のポリシーを更新するように前記UEに命令するために使用され、前記ポリシー情報に示される前記ポリシーが、前記第3のポリシーを含む、ステップと
のうちの少なくとも1つを含む、請求項1に記載の方法。
【請求項３】
前記方法が、
前記ポリシー制御機能ネットワーク要素によって、更新命令情報を前記第1のネットワーク要素に送信するステップであって、前記更新命令情報が、前記構成情報及び構成情報識別子のうちの少なくとも1つを含み、前記構成情報識別子が前記構成情報を示すために使用される、ステップ
をさらに含む、請求項2に記載の方法。
【請求項４】
前記方法が、
前記ポリシー制御機能ネットワーク要素によって、前記UEによって送信されたポリシー格納ステータス情報を受信するステップであって、前記ポリシー格納ステータス情報は、前記UEがポリシー制御機能ポリシーを格納しているか否かを示すために使用される、ステップと、
前記UEが前記ポリシー制御機能ポリシーを格納していないことを前記ポリシーステータス情報が示す場合、前記ポリシー制御機能ネットワーク要素によって、前記ポリシー制御機能ポリシーを前記UEに送信するステップと
をさらに含む、請求項1から3のいずれか一項に記載の方法。
【請求項５】
前記ポリシー制御機能ネットワーク要素によって、前記UEによって送信されたポリシー格納ステータス情報を受信する前記ステップが、
前記ポリシー制御機能ネットワーク要素によって、アクセス及びモビリティ管理機能ネットワーク要素によって送信されたポリシー制御取得要求メッセージを受信するステップであって、前記ポリシー制御取得要求メッセージが前記ポリシー格納ステータス情報を運び、前記モビリティ管理機能ネットワーク要素が、前記UEによって送信された登録要求メッセージを受信した後、前記ポリシー制御取得要求メッセージを前記ポリシー制御機能ネットワーク要素に送信する、ステップ
を含む、請求項4に記載の方法。
【請求項６】
ユーザ機器UEのためにポリシーを構成するための方法であって、前記方法が、
第1のネットワーク要素によって、前記UEのポリシー情報に少なくとも基づいて構成情報を前記UEに送信するようにポリシー制御機能ネットワーク要素に命令するために、前記ポリシー情報を前記ポリシー制御機能ネットワーク要素に送信するステップであって、前記ポリシー情報が、前記UEのために現在構成されているポリシーを示すために使用され、前記構成情報が、前記UEの前記ポリシーを更新するように前記UEに命令するために使用される、ステップ
を含む、方法。
【請求項７】
前記方法が、
前記第1のネットワーク要素によって、前記ポリシー制御機能ネットワーク要素によって送信された更新命令情報を受信するステップであって、前記更新命令情報が、前記構成情報及び構成情報識別子のうちの少なくとも1つを含み、前記構成情報識別子が前記構成情報を示すために使用される、ステップと、
前記第1のネットワーク要素によって、前記更新命令情報に基づいて前記UEの前記ポリシー情報を更新するステップと
をさらに含む、請求項6に記載の方法。
【請求項８】
前記第1のネットワーク要素が第1のモビリティ管理機能ネットワーク要素であり、前記方法が、
前記第1のモビリティ管理機能ネットワーク要素によって、第2のモビリティ管理機能ネットワーク要素によって送信された前記ポリシー情報を受信するステップであって、前記第2のモビリティ管理機能ネットワーク要素は、前記UEが前記第1のモビリティ管理機能ネットワーク要素に接続する前に前記UEが接続するモビリティ管理機能ネットワーク要素である、ステップ
をさらに含む、請求項6又は7に記載の方法。
【請求項９】
前記第1のモビリティ管理機能ネットワーク要素によって、第2のモビリティ管理機能ネットワーク要素によって送信された前記ポリシー情報を受信する前記ステップが、
前記第1のモビリティ管理機能ネットワーク要素によって、前記第2のモビリティ管理機能ネットワーク要素によって送信された第1のメッセージを受信するステップであって、前記第1のメッセージが、前記UEのコンテキスト情報及び前記ポリシー情報を含む、ステップ
を含む、請求項8に記載の方法。
【請求項１０】
ユーザ機器UEのためにポリシーを構成するための方法であって、前記方法が、
前記UEによって、前記UEがポリシー制御機能ポリシーを格納していないことをポリシー格納ステータス情報が示すときに、前記ポリシー制御機能ポリシーを前記UEに送信するようにポリシー制御機能ネットワーク要素に命令するために、前記ポリシー格納ステータス情報を前記ポリシー制御機能ネットワーク要素に送信するステップであって、前記ポリシー格納ステータス情報は、前記UEが前記ポリシー制御機能ポリシーを格納しているか否かを示すために使用される、ステップと、
前記UEによって、前記ポリシー制御機能ネットワーク要素によって送信された前記ポリシー制御機能ポリシーを受信するステップと
を含む、方法。
【請求項１１】
前記UEによって、ポリシー格納ステータス情報をポリシー制御機能ネットワーク要素に送信する前記ステップが、
前記UEによって、登録要求メッセージをアクセス及びモビリティ管理機能ネットワーク要素に送信するステップであって、前記登録要求メッセージが前記ポリシー格納ステータス情報を運び、前記登録要求メッセージが、ポリシー制御取得要求メッセージを前記ポリシー制御機能ネットワーク要素に送信するように前記モビリティ管理機能ネットワーク要素に命令するために使用され、前記ポリシー制御取得要求メッセージが前記ポリシー格納ステータス情報を運ぶ、ステップ、又は
前記UEによって、前記ポリシー制御機能ネットワーク要素によって送信された構成情報を受信した後、前記ポリシー格納ステータス情報を前記ポリシー制御機能ネットワーク要素に送信するステップであって、前記構成情報が、前記UEのポリシー情報に少なくとも基づいて前記ポリシー制御機能ネットワーク要素によって前記UEに送信された構成情報であり、前記ポリシー情報が前記UEのために現在構成されているポリシーを示すために使用され、前記構成情報が、前記UEの前記ポリシーを更新するために使用される、ステップ
を含む、請求項10に記載の方法。
【請求項１２】
メモリとプロセッサとを備え、前記メモリが命令を格納するように構成され、前記プロセッサが前記命令を実行するように構成され、それにより請求項1から5のいずれか一項に記載の方法が実行される、ポリシー制御機能ネットワーク要素。
【請求項１３】
メモリとプロセッサとを備え、前記メモリが命令を格納するように構成され、前記プロセッサが前記命令を実行するように構成され、それにより請求項6から9のいずれか一項に記載の方法が実行される、第1のネットワーク要素。
【請求項１４】
メモリとプロセッサとを備え、前記メモリが命令を格納するように構成され、前記プロセッサが前記命令を実行するように構成され、それにより請求項10又は11に記載の方法が実行される、端末装置。
【請求項１５】
命令を含み、前記命令がコンピュータ上で実行されると、前記コンピュータは、請求項1から11のいずれか一項に記載の方法を実行することができる、コンピュータ可読媒体。
【請求項１６】
通信システムであって、
請求項12に記載のポリシー制御機能ネットワーク要素と、
請求項13に記載の第1のネットワーク要素と
を含む、通信システム。
【国際調査報告】
2021510997.tif 000027
2021510997.tif 000028
2021510997.tif 000029
2021510997.tif 000030